(57)【要約】本発明は、移動体内に複数個のステーションを搭載したＬＡＮにおいて、少なくとも一部のステーションに関して通信効率を向上させることができる通信システムを提供することを目的とする。所定の経路に沿って配置された複数のアクセスポイント１，２、３・・・と、所定の経路に沿って移動する移動体１００に配置されたステーション３１及び３２と、ステーション３１及び３２を接続する移動体内ネットワーク６１とを有し、無線通信によってアクセスポイント１、２、３・・・のいずれかに帰属したステーション３１又は３２が該アクセスポイントを介してネットワーク網８１に接続される通信システムであって、移動体１００の進行方向の最前に配置されたステーション３１は、帰属可能なアクセスポイントを検索する際に得た情報を移動体内ネットワーク６１を介してステーション３２に通知する。
2005002087.tif 000002
【特許請求の範囲】
【請求項１】
所定の経路に沿って配置された複数のアクセスポイント装置と、前記所定の経路に沿って移動する移動体に配置された複数のステーション装置と、該複数のステーション装置同士を接続する移動体内通信網とを有し、無線通信によって前記アクセスポイント装置のいずれかに帰属したステーション装置が該アクセスポイント装置を介してネットワーク網に接続される通信システムであって、
前記移動体の進行方向の最前に配置されたステーション装置は、帰属可能なアクセスポイント装置を検索する際に得た情報を前記移動体内通信網を介して他のステーション装置に通知することを特徴とする通信システム。
【請求項２】
所定の経路に沿って配置された複数のアクセスポイント装置と、前記所定の経路に沿って移動する移動体に配置された複数のステーション装置と、該複数のステーション装置同士を接続する移動体内通信網とを有し、無線通信によって前記アクセスポイント装置のいずれかに帰属したステーション装置が該アクセスポイント装置を介してネットワーク網に接続される通信システムであって、
前記各ステーション装置は、自装置が前記移動体の進行方向の最前に配置されているか否かを判断する手段を備え、
前記移動体の進行方向の進行方向の最前に配置されていると判断したステーション装置は、帰属可能なアクセスポイント装置を検索する際に得た情報を前記移動体内通信網を介して他のステーションに通知することを特徴とする通信システム。
【請求項３】
所定の経路に沿って配置された複数のアクセスポイント装置と、前記所定の経路に沿って移動する移動体に配置された複数のステーション装置と、該複数のステーション装置同士を接続する移動体内通信網とを有し、無線通信によって前記アクセスポイント装置のいずれかに帰属したステーション装置が該アクセスポイント装置を介してネットワーク網に接続される通信システムであって、
前記移動体の進行方向の最前に配置されたステーション装置以外のステーション装置は、前記移動体の進行方向の最前に配置されたステーション装置が帰属可能なアクセスポイント装置を検索する際に得た情報を、前記移動体内通信網を介して該ステーション装置から取得することを特徴とする通信システム。
【請求項４】
所定の経路に沿って配置された複数のアクセスポイント装置と、前記所定の経路に沿って移動する移動体に配置された複数のステーション装置と、該複数のステーション装置同士を接続する移動体内通信網とを有し、前記アクセスポイント装置のいずれかに帰属したステーション装置が該アクセスポイント装置を介してネットワーク網に接続される通信システムであって、
前記各ステーション装置は、自装置が前記移動体の進行方向の最前に配置されているか否かを判断する手段を備え、
前記移動体の進行方向の最前に配置されたステーション装置以外のステーション装置は、前記移動体の進行方向の最前に配置されたステーション装置が帰属可能なアクセスポイント装置を検索する際に得た情報を、該ステーション装置から前記移動体内通信網を介して取得することを特徴とする通信システム。
【請求項５】
所定の経路に沿って配置された複数のアクセスポイント装置と、前記所定の経路に沿って移動する移動体に配置された複数のステーション装置と、該複数のステーション装置同士を接続する移動体内通信網とを有し、前記アクセスポイント装置のいずれかに帰属したステーション装置が該アクセスポイント装置を介してネットワーク網に接続される通信システムであって、
前記移動体内通信網に接続され、前記各ステーション装置がいずれのアクセスポイント装置に帰属していたかを示す情報を格納する格納手段を備え、
前記移動体の進行方向の最前に配置されたステーション装置は、帰属可能なアクセスポイント装置を検索する際に得た情報を前記移動体内通信網を介して前記格納手段に格納し、
前記移動体の進行方向の最前ではない位置に配置されたステーションは、帰属可能なアクセスポイント装置を検索するのに先だって前記最前のステーション装置が前記格納手段に格納した情報を参照することを特徴とする通信システム。
【請求項６】
所定の経路に沿って配置された複数のアクセスポイント装置と、前記所定の経路に沿って移動する移動体に配置された複数のステーション装置と、該複数のステーション装置同士を接続する移動体内通信網とを有し、前記アクセスポイント装置のいずれかに帰属したステーション装置が該アクセスポイント装置を介してネットワーク網に接続される通信システムであって、
前記各ステーション装置は、自装置がいずれのアクセスポイント装置に帰属していたかを示す情報を格納する格納手段を備え、
前記移動体の進行方向の最前に配置されたステーション装置は、帰属可能なアクセスポイント装置を検索する際に得た情報を前記格納手段に格納し、
前記移動体の進行方向の最前ではない位置に配置されたステーションは、帰属可能なアクセスポイント装置を検索するのに先だって前記最前のステーション装置が前記格納手段に格納した情報を参照することを特徴とする通信システム。
【請求項７】
所定の経路に沿って配置された複数のアクセスポイント装置と、前記所定の経路に沿って移動する移動体に配置された複数のステーション装置と、該複数のステーション装置同士を接続する移動体内通信網とを有し、前記アクセスポイント装置のいずれかに帰属したステーション装置が該アクセスポイント装置を介してネットワーク網に接続される通信システムであって、
前記移動体内通信網に接続され、前記各ステーション装置がいずれのアクセスポイント装置に帰属していたかを示す情報を格納する格納手段を備え、
前記各ステーション装置は、自装置が前記移動体の進行方向の最前に配置されているか否かを判断する手段を有し、
前記移動体の進行方向の最前に配置されたステーション装置は、帰属可能なアクセスポイント装置を検索する際に得た情報を前記移動体内通信網を介して前記格納手段に格納し、
前記移動体の進行方向の最前ではない位置に配置されたステーションは、帰属可能なアクセスポイント装置を検索するのに先だって前記最前のステーション装置が前記格納手段に格納した情報を参照することを特徴とする通信システム。
【請求項８】
所定の経路に沿って配置された複数のアクセスポイント装置と、前記所定の経路に沿って移動する移動体に配置された複数のステーション装置と、該複数のステーション装置同士を接続する移動体内通信網とを有し、前記アクセスポイント装置のいずれかに帰属したステーション装置が該アクセスポイント装置を介してネットワーク網に接続される通信システムであって、
前記各ステーション装置は、自装置が前記移動体の進行方向の最前に配置されているか否かを判断する手段と、
自装置がいずれのアクセスポイント装置に帰属していたかを示す情報を格納する格納手段とを有し、
前記移動体の進行方向の最前に配置されたステーション装置は、帰属可能なアクセスポイント装置を検索する際に得た情報を前記格納手段に格納し、
前記移動体の進行方向の最前ではない位置に配置されたステーションは、帰属可能なアクセスポイント装置を検索するのに先だって前記最前のステーション装置が前記格納手段に格納した情報を参照することを特徴とする通信システム。
【請求項９】
前記各ステーション装置は、自装置及び他のステーション装置が前記格納手段に格納した情報に基づいて自装置が前記移動体の先頭に位置するか否かを判断することを特徴とする請求項７又は８記載の通信システム。
【請求項１０】
前記進行方向の最前に２以上のステーション装置が配置されている場合、
該ステーション装置の少なくとも一つは、帰属しているアクセスポイント装置に対する通信品質が低下した場合に、該アクセスポイント装置への帰属を継続し、他のステーション装置は帰属可能なアクセスポイント装置を検索することを特徴とする請求項１から９のいずれか１項記載の通信システム。
【請求項１１】
所定の経路に沿って配置された複数のアクセスポイント装置と、前記所定の経路に沿って同方向に移動する複数の移動体のそれぞれに少なくとも一つずつ配置された複数のステーション装置と、該複数のステーション装置同士を接続する移動体間通信網とを有し、無線通信によって前記アクセスポイント装置のいずれかに帰属したステーション装置が該アクセスポイント装置を介してネットワーク網に接続される通信システムであって、
前記各ステーション装置は、自装置が配置された移動体が進行方向の最前に位置するか否かを判断する手段を有し、
前記進行方向の最前に位置する移動体に配置されたステーション装置は、帰属可能なアクセスポイント装置を検索する際に得た情報を前記移動体内通信網を介して他のステーション装置に通知することを特徴とする通信システム。
【請求項１２】
所定の経路に沿って配置された複数のアクセスポイント装置と、前記所定の経路に沿って同方向に移動する複数の移動体のそれぞれに少なくとも一つずつ配置された複数のステーション装置と、該複数のステーション装置同士を接続する移動体間通信網とを有し、無線通信によって前記アクセスポイント装置のいずれかに帰属したステーション装置が該アクセスポイント装置を介してネットワーク網に接続される通信システムであって、
前記各ステーション装置は、自装置が配置された移動体が進行方向の最前に位置するか否かを判断する手段を有し、
前記進行方向の最前に位置しない移動体に配置されたステーション装置は、前記進行方向の最前に位置する移動体に配置されたステーション装置が帰属可能なアクセスポイント装置を検索する際に得た情報を、前記移動体内通信網を介して取得することを特徴とする通信システム。
【請求項１３】
所定の経路に沿って配置された複数のアクセスポイント装置と、前記所定の経路に沿って同方向に移動する複数の移動体のそれぞれに少なくとも一つずつ配置された複数のステーション装置と、該複数のステーション装置同士を接続する移動体間通信網とを有し、無線通信によって前記アクセスポイント装置のいずれかに帰属したステーション装置が該アクセスポイント装置を介してネットワーク網に接続される通信システムであって、
前記移動体間通信網に接続され、前記各ステーション装置がいずれのアクセスポイント装置に帰属していたかを示す情報を格納する格納手段を備え、
前記各ステーション装置は、自装置が配置された移動体が進行方向の最前に位置するか否かを判断する手段を有し、
前記進行方向の最前に位置する移動体に配置されたステーション装置は、帰属可能なアクセスポイント装置を検索する際に得た情報を前記移動体内通信網を介して前記格納手段に格納し、
前記移動体の進行方向の最前に位置しない移動体に配置されたステーション装置は、帰属可能なアクセスポイント装置を検索するのに先だって前記進行方向の最前に位置する移動体に配置されたステーション装置が前記格納手段に格納した情報を参照することを特徴とする通信システム。
【請求項１４】
所定の経路に沿って配置された複数のアクセスポイント装置と、前記所定の経路に沿って同方向に移動する複数の移動体のそれぞれに少なくとも一つずつ配置された複数のステーション装置と、該複数のステーション装置同士を接続する移動体間通信網とを有し、前記アクセスポイント装置のいずれかに帰属したステーション装置が該アクセスポイント装置を介してネットワーク網に接続される通信システムであって、
前記各ステーション装置は、自装置が配置された移動体が進行方向の最前に位置するか否かを判断する手段と、
自装置がいずれのアクセスポイント装置に帰属していたかを示す情報を格納する手段とを有し、
前記進行方向の最前に位置する移動体に配置されたステーション装置は、帰属可能なアクセスポイント装置を検索する際に得た情報を前記格納手段に格納し、
前記進行方向の最前に位置しない移動体に配置されたステーション装置は、帰属可能なアクセスポイント装置を検索するのに先だって、前記進行方向の最前に位置する移動体に配置されたステーション装置が前記格納手段に格納した情報を参照することを特徴とする通信システム。
【請求項１５】
前記各ステーション装置は、自装置及び他のステーション装置が前記格納手段に格納した情報に基づいて自装置が配置された移動体が前記進行方向の最前に位置するか否かを判断することを特徴とする請求項１３又は１４記載の通信システム。
【請求項１６】
二以上のステーション装置が配置されている移動体が前記進行方向の最前の最前に位置する場合、該ステーション装置の少なくとも一つは、帰属しているアクセスポイント装置に対する通信品質が低下した場合に、該アクセスポイント装置への帰属を継続し、他のステーション装置は帰属可能なアクセスポイント装置を検索することを特徴とする請求項１１から１５のいずれか１項記載の通信システム。
【発明の詳細な説明】
【技術分野】
【０００１】  本発明は、移動体に配置されたステーションを所定の経路に沿って配置されたアクセスポイントに帰属させて、ステーションとネットワーク網とを接続する通信システムに関し、特に、ステーションがアクセスポイントを切り換えるために要する時間を低減した通信システムに関する。
【背景技術】
【０００２】  無線通信を用いたＬＡＮ（無線ＬＡＮ）では、アクセスポイントと呼ばれる基地局に子局（ステーション）が帰属することで、ステーションとネットワーク網とが接続される。【０００３】  一般に、無線ＬＡＮの各アクセスポイントは、それぞれ異なる識別子を有し、それぞれ異なるチャネル（周波数）で、帰属するステーションと通信を行うため、アクセスポイントに帰属しようとするステーションは、そのアクセスポイント用のチャネル及び識別子の情報を取得する必要がある。【０００４】  よって、あるアクセスポイントに帰属しようとするステーションは、そのアクセスポイントが定期的に送出するビーコンを検出する動作（Ｓｃａｎ）を行い、検出したビーコンに基づいてそのアクセスポイントとの通信のために使用するチャネル及び識別子を決定する。【０００５】  近年、ネットワーク網を利用したサービスの増加に伴い、鉄道や自動車といった移動体（車両）内においてもネットワーク網に接続可能な通信インフラを整備することが要求されている。【０００６】  このような要求に対して、線路や道路に沿って多数のアクセスポイントを配置し、移動体内のステーションをこれに帰属させることで、走行中の移動体内にあるステーションをネットワーク網に接続させる手法が特許文献１に提案されている。
【特許文献１】特開２００２−３４４４７８号公報
【発明の開示】
【発明が解決しようとする課題】
【０００７】  従来のステーションを複数個搭載した移動体が移動していく場合、走行中の移動体内のステーションを上記の手法でネットワーク網に接続するものとすると、ステーションは移動体の移動に合わせて帰属するアクセスポイントを順次切り換える必要がある。【０００８】  しかし、この手法では、移動体の移動速度と比較してアクセスポイントのセルが小さい場合には、各ステーションは頻繁にＳｃａｎを行って帰属するアクセスポイントを切り換えなければならなくなる。【０００９】  ステーションがＳｃａｎを行っている間とは、ステーションがセル内に所在するにもかかわらずアクセスポイントとの通信を確立できていない時間であると言える。よって、帰属するアクセスポイントを切り換える頻度が高くなると、通信効率が悪化してしまうこととなる。【００１０】  上記の手法において、ステーションがＳｃａｎに要する時間は、ステーションが配置された移動体の移動速度やセルの大きさとは無関係である。一方、ステーションがアクセスポイントのセルに進入してから離脱するまでの時間は、移動体の移動速度やセルの大きさによって変化する。【００１１】  このため、移動体の移動速度を高くしたり、セルの大きさが小さいアクセスポイントを上記手法に適用しようとしたりする場合には、実際に情報を送受信可能な時間に比べてＳｃａｎに要する時間が大きな割合を占めることとなる。【００１２】  例えば、ＩＥＥＥ８０２．１１の規格に準拠する無線ＬＡＮでは、無線通信には１４のチャネル使用されており、アクセスポイントは一般的には１００〜３００ｍｓごとにビーコンを送出する。また、ステーションは、各チャネルで個別にＳｃａｎを行う必要がある。【００１３】  すなわち、ステーションが第１チャネルから降順にＳｃａｎを行うとすると、まず第１チャネルについてビーコンが送出されているか否かを所定の時間監視し、ビーコンが送出されていなければ第２のチャネルを所定の時間監視するという動作を繰り返す。よって、従来のステーション場合、Ｓｃａｎを行ってからアクセスポイントの情報を取得するまでに最大で３００ｍｓ×１４＝４．２秒の時間を要することとなる。【００１４】  このため、ステーションがアクセスポイントのセルに入ってから出るまでの時間が２０秒であれば、ステーションは少なくとも１６秒弱の間は情報を送受信できる。しかし、セルに進入してから離脱するまでの時間が５秒であるとすれば、ステーションが情報を送受信できる時間は、最も短い場合では１秒弱となってしまう。【００１５】  さらに、ステーションがあるアクセスポイントのセルに進入してから離脱するまでの時間がＳｃａｎに要する時間よりも短くなってしまうと、もはやそのアクセスポイントに帰属することはできない。【００１６】  従来の基地局切り換え方式では、各ステーションが個別にＳｃａｎを行うこととなる。よって、ステーションがＳｃａｎに費やす時間がネックとなって通信効率が悪化してしまうという問題があった。【００１７】  本発明は係る問題に鑑みてなされたものであり、移動体内に複数個のステーションを搭載したＬＡＮにおいて、少なくとも一部のステーションに関して通信効率を向上させることができる通信システムを提供することを目的とする。
【課題を解決するための手段】
【００１８】  上記目的を達成するため、本発明は、第１の態様として、下記１−１〜１−８に示す構成の通信システムを提供するものである。【００１９】  １−１：所定の経路に沿って配置された複数のアクセスポイント装置と、所定の経路に沿って移動する移動体に配置された複数のステーション装置と、該複数のステーション装置同士を接続する移動体内通信網とを有し、無線通信によってアクセスポイント装置のいずれかに帰属したステーション装置が該アクセスポイント装置を介してネットワーク網に接続される通信システムであって、移動体の進行方向の最前に配置されたステーション装置は、帰属可能なアクセスポイント装置を検索する際に得た情報を移動体内通信網を介して他のステーション装置に通知することを特徴とする通信システム。【００２０】  １−２：所定の経路に沿って配置された複数のアクセスポイント装置と、所定の経路に沿って移動する移動体に配置された複数のステーション装置と、該複数のステーション装置同士を接続する移動体内通信網とを有し、無線通信によってアクセスポイント装置のいずれかに帰属したステーション装置が該アクセスポイント装置を介してネットワーク網に接続される通信システムであって、各ステーション装置は、自装置が移動体の進行方向の最前に配置されているか否かを判断する手段を備え、移動体の進行方向の進行方向の最前に配置されていると判断したステーション装置は、帰属可能なアクセスポイント装置を検索する際に得た情報を移動体内通信網を介して他のステーションに通知することを特徴とする通信システム。【００２１】  １−３：所定の経路に沿って配置された複数のアクセスポイント装置と、所定の経路に沿って移動する移動体に配置された複数のステーション装置と、該複数のステーション装置同士を接続する移動体内通信網とを有し、無線通信によってアクセスポイント装置のいずれかに帰属したステーション装置が該アクセスポイント装置を介してネットワーク網に接続される通信システムであって、移動体の進行方向の最前に配置されたステーション装置以外のステーション装置は、移動体の進行方向の最前に配置されたステーション装置が帰属可能なアクセスポイント装置を検索する際に得た情報を、移動体内通信網を介して該ステーション装置から取得することを特徴とする通信システム。【００２２】  １−４：所定の経路に沿って配置された複数のアクセスポイント装置と、所定の経路に沿って移動する移動体に配置された複数のステーション装置と、該複数のステーション装置同士を接続する移動体内通信網とを有し、アクセスポイント装置のいずれかに帰属したステーション装置が該アクセスポイント装置を介してネットワーク網に接続される通信システムであって、各ステーション装置は、自装置が移動体の進行方向の最前に配置されているか否かを判断する手段を備え、移動体の進行方向の最前に配置されたステーション装置以外のステーション装置は、移動体の進行方向の最前に配置されたステーション装置が帰属可能なアクセスポイント装置を検索する際に得た情報を、該ステーション装置から移動体内通信網を介して取得することを特徴とする通信システム。【００２３】  １−５：所定の経路に沿って配置された複数のアクセスポイント装置と、所定の経路に沿って移動する移動体に配置された複数のステーション装置と、該複数のステーション装置同士を接続する移動体内通信網とを有し、アクセスポイント装置のいずれかに帰属したステーション装置が該アクセスポイント装置を介してネットワーク網に接続される通信システムであって、移動体内通信網に接続され、各ステーション装置がいずれのアクセスポイント装置に帰属していたかを示す情報を格納する格納手段を備え、移動体の進行方向の最前に配置されたステーション装置は、帰属可能なアクセスポイント装置を検索する際に得た情報を移動体内通信網を介して格納手段に格納し、移動体の進行方向の最前ではない位置に配置されたステーションは、帰属可能なアクセスポイント装置を検索するのに先だって最前のステーション装置が格納手段に格納した情報を参照することを特徴とする通信システム。【００２４】  １−６：所定の経路に沿って配置された複数のアクセスポイント装置と、所定の経路に沿って移動する移動体に配置された複数のステーション装置と、該複数のステーション装置同士を接続する移動体内通信網とを有し、アクセスポイント装置のいずれかに帰属したステーション装置が該アクセスポイント装置を介してネットワーク網に接続される通信システムであって、各ステーション装置は、自装置がいずれのアクセスポイント装置に帰属していたかを示す情報を格納する格納手段を備え、移動体の進行方向の最前に配置されたステーション装置は、帰属可能なアクセスポイント装置を検索する際に得た情報を格納手段に格納し、移動体の進行方向の最前ではない位置に配置されたステーションは、帰属可能なアクセスポイント装置を検索するのに先だって最前のステーション装置が格納手段に格納した情報を参照することを特徴とする通信システム。【００２５】  １−７：所定の経路に沿って配置された複数のアクセスポイント装置と、所定の経路に沿って移動する移動体に配置された複数のステーション装置と、該複数のステーション装置同士を接続する移動体内通信網とを有し、アクセスポイント装置のいずれかに帰属したステーション装置が該アクセスポイント装置を介してネットワーク網に接続される通信システムであって、移動体内通信網に接続され、各ステーション装置がいずれのアクセスポイント装置に帰属していたかを示す情報を格納する格納手段を備え、各ステーション装置は、自装置が移動体の進行方向の最前に配置されているか否かを判断する手段を有し、移動体の進行方向の最前に配置されたステーション装置は、帰属可能なアクセスポイント装置を検索する際に得た情報を移動体内通信網を介して格納手段に格納し、移動体の進行方向の最前ではない位置に配置されたステーションは、帰属可能なアクセスポイント装置を検索するのに先だって最前のステーション装置が格納手段に格納した情報を参照することを特徴とする通信システム。【００２６】  １−８：所定の経路に沿って配置された複数のアクセスポイント装置と、所定の経路に沿って移動する移動体に配置された複数のステーション装置と、該複数のステーション装置同士を接続する移動体内通信網とを有し、アクセスポイント装置のいずれかに帰属したステーション装置が該アクセスポイント装置を介してネットワーク網に接続される通信システムであって、各ステーション装置は、自装置が移動体の進行方向の最前に配置されているか否かを判断する手段と、自装置がいずれのアクセスポイント装置に帰属していたかを示す情報を格納する格納手段とを有し、移動体の進行方向の最前に配置されたステーション装置は、帰属可能なアクセスポイント装置を検索する際に得た情報を格納手段に格納し、移動体の進行方向の最前ではない位置に配置されたステーションは、帰属可能なアクセスポイント装置を検索するのに先だって最前のステーション装置が格納手段に格納した情報を参照することを特徴とする通信システム。【００２７】  上記本発明の第１の態様の１−７又は１−８の構成においては、各ステーション装置は、自装置及び他のステーション装置が格納手段に格納した情報に基づいて自装置が移動体の先頭に位置するか否かを判断することが好ましい。【００２８】  上記本発明の第１の態様のいずれの構成においても、進行方向の最前に２以上のステーション装置が配置されている場合、該ステーション装置の少なくとも一つは、帰属しているアクセスポイント装置に対する通信品質が低下した場合に、該アクセスポイント装置への帰属を継続し、他のステーション装置は帰属可能なアクセスポイント装置を検索することが好ましい。【００２９】  また、上記目的を達成するため、本発明は、第２の態様として、下記２−１〜２−４に示す構成の通信システムを提供するものである。【００３０】  ２−１：所定の経路に沿って配置された複数のアクセスポイント装置と、所定の経路に沿って同方向に移動する複数の移動体のそれぞれに少なくとも一つずつ配置された複数のステーション装置と、該複数のステーション装置同士を接続する移動体間通信網とを有し、無線通信によってアクセスポイント装置のいずれかに帰属したステーション装置が該アクセスポイント装置を介してネットワーク網に接続される通信システムであって、各ステーション装置は、自装置が配置された移動体が進行方向の最前に位置するか否かを判断する手段を有し、進行方向の最前に位置する移動体に配置されたステーション装置は、帰属可能なアクセスポイント装置を検索する際に得た情報を移動体内通信網を介して他のステーション装置に通知することを特徴とする通信システム。【００３１】  ２−２：所定の経路に沿って配置された複数のアクセスポイント装置と、所定の経路に沿って同方向に移動する複数の移動体のそれぞれに少なくとも一つずつ配置された複数のステーション装置と、該複数のステーション装置同士を接続する移動体間通信網とを有し、無線通信によってアクセスポイント装置のいずれかに帰属したステーション装置が該アクセスポイント装置を介してネットワーク網に接続される通信システムであって、各ステーション装置は、自装置が配置された移動体が進行方向の最前に位置するか否かを判断する手段を有し、進行方向の最前に位置しない移動体に配置されたステーション装置は、進行方向の最前に位置する移動体に配置されたステーション装置が帰属可能なアクセスポイント装置を検索する際に得た情報を、移動体内通信網を介して取得するこ��を特徴とする通信システム。【００３２】  ２−３：所定の経路に沿って配置された複数のアクセスポイント装置と、所定の経路に沿って同方向に移動する複数の移動体のそれぞれに少なくとも一つずつ配置された複数のステーション装置と、該複数のステーション装置同士を接続する移動体間通信網とを有し、無線通信によってアクセスポイント装置のいずれかに帰属したステーション装置が該アクセスポイント装置を介してネットワーク網に接続される通信システムであって、移動体間通信網に接続され、各ステーション装置がいずれのアクセスポイント装置に帰属していたかを示す情報を格納する格納手段を備え、各ステーション装置は、自装置が配置された移動体が進行方向の最前に位置するか否かを判断する手段を有し、進行方向の最前に位置する移動体に配置されたステーション装置は、帰属可能なアクセスポイント装置を検索する際に得た情報を移動体内通信網を介して格納手段に格納し、移動体の進行方向の最前に位置しない移動体に配置されたステーション装置は、帰属可能なアクセスポイント装置を検索するのに先だって進行方向の最前に位置する移動体に配置されたステーション装置が格納手段に格納した情報を参照することを特徴とする通信システム。【００３３】  ２−４：所定の経路に沿って配置された複数のアクセスポイント装置と、所定の経路に沿って同方向に移動する複数の移動体のそれぞれに少なくとも一つずつ配置された複数のステーション装置と、該複数のステーション装置同士を接続する移動体間通信網とを有し、アクセスポイント装置のいずれかに帰属したステーション装置が該アクセスポイント装置を介してネットワーク網に接続される通信システムであって、各ステーション装置は、自装置が配置された移動体が進行方向の最前に位置するか否かを判断する手段と、自装置がいずれのアクセスポイント装置に帰属していたかを示す情報を格納する手段とを有し、進行方向の最前に位置する移動体に配置されたステーション装置は、帰属可能なアクセスポイント装置を検索する際に得た情報を格納手段に格納し、進行方向の最前に位置しない移動体に配置されたステーション装置は、帰属可能なアクセスポイント装置を検索するのに先だって、進行方向の最前に位置する移動体に配置されたステーション装置が格納手段に格納した情報を参照することを特徴とする通信システム。【００３４】  上記本発明の第２の態様の２−３又は２−４の構成においては、各ステーション装置は、自装置及び他のステーション装置が格納手段に格納した情報に基づいて自装置が配置された移動体が進行方向の最前に位置するか否かを判断することが好ましい。【００３５】  上記本発明の第２の態様のいずれの構成においても、２以上のステーション装置が配置されている移動体が進行方向の最前の最前に位置する場合、該ステーション装置の少なくとも一つは、帰属しているアクセスポイント装置に対する通信品質が低下した場合に、該アクセスポイント装置への帰属を継続し、他のステーション装置は帰属可能なアクセスポイント装置を検索することが好ましい。
【発明の効果】
【００３６】  本発明によれば、交通機関の車両に複数個のステーションを搭載したＬＡＮにおいて、一部のステーションに関して通信効率を向上させることができる通信システムを提供できる。
【発明を実施するための最良の形態】
【００３７】  〔第１の実施形態〕
本発明を好適に実施した第１の実施形態について説明する。図１に、本実施形態に係る通信システムを示す。【００３８】  本実施形態に係る通信システムは、線路に沿ってアクセスポイント（ＡＰ）１，２，３・・・が設置されており、線路上を移動する移動体１００（鉄道車両）内に移動体内ネットワーク６１を介して接続されたステーション（ＳＴＡ）３１及び３２が配置された構成である。【００３９】  この通信システムでは、ステーション３１又はステーション３２がアクセスポイント１、２、３・・・のいずれかに帰属することで、ユーザ端末７１、７２がネットワーク網８１に接続される。【００４０】  図２に、各ステーションの構成を示す。ステーション３１は、無線ＬＡＮインタフェース部３１１、ＡＰサーチ部３１２、ＡＰ選択部３１３、帰属処理部３１４、ＡＰ情報受信部３１５、ＡＰ情報送信部３１６及び有線ＬＡＮインタフェース３１７を有する。【００４１】  無線ＬＡＮインタフェース部３１１は、アクセスポイントと無線信号を送受信するためのインタフェースである。ＡＰサーチ部３１２は、アクセスポイントが送出するビーコンを検出する処理（すなわち、Ｓｃａｎ）を行い、検出したビーコンからアクセスポイントのチャネル及び識別子を取得する。ＡＰ選択部３１３は、ＡＰサーチ部３１２によるＳｃａｎの結果に基づいて、いずれのアクセスポイントに帰属するかを選択する。帰属処理部３１４は、ＡＰ選択部３１３が選択したアクセスポイントに対し、ＡＰ３１２が取得したチャネル及び識別子で帰属要求を送出する。ＡＰ情報受信部３１５は、移動体内通信網４０を介して他のステーションからアクセスポイントの情報（使用チャネル及び識別子）を受信する。ＡＰ情報送信部３１６は、移動体内通信網４１を介して他のステーションへアクセスポイントの情報を送信する。有線ＬＡＮインタフェース部３１７は、移動体内通信網４１を介して情報を送受信するためのインタフェースである。なお、ステーション３２はステーション３１と同様の構成であるため処理は省略する。【００４２】  本実施形態においては、ＳＴＡ３１が進行方向先頭側、ＳＴＡ３２が後尾側に配置されることが予め定義されており、各ＳＴＡはこれを認識している。各ＳＴＡの動作について説明する。【００４３】  〔動作例１−１〕
本実施形態に係る通信システムの第１の動作例について説明する。まず、ＳＴＡ３１及びＳＴＡ３２に個別の動作について説明する。【００４４】  まず、先頭に配置されているＳＴＡ３１の動作について説明する。図３に、ＳＴＡ３１の動作の流れを示す。【００４５】  ＳＴＡ３１は、所定の受信品質でアクセスポイントと無線通信できない場合（いずれのアクセスポイントとも通信が確立していない場合を含む）（ステップＳ１０１）、ＡＰサーチ部３１２は帰属できるアクセスポイントを検出するためにＳｃａｎを行い、アクセスポイントから送出されるビーコンを捜索する（ステップＳ１０２）。Ｓｃａｎを行ってもビーコンを検出できなかった場合（ステップＳ１０３／Ｎｏ）、ＡＰサーチ部３１２は、ビーコンを検出できるまで繰り返しＳｃａｎを行う。【００４６】  ＡＰサーチ部３１２がＳｃａｎによってビーコンを検出すると（ステップＳ１０３／Ｙｅｓ）、ＡＰ選択部３１３は、ビーコンの周波数及び識別子を取得するとともに、送出元のアクセスポイントを帰属要求の送出対象に選択する（ステップＳ１０４）。帰属処理部３１４は、ＡＰ選択部３１３が選択したアクセスポイントに対して帰属要求を送出する。この帰属要求は、ＡＰサーチ部３１２が検出したビーコンに応じた周波数及び識別子で送出される（ステップＳ１０５）。【００４７】  この帰属要求を受信したアクセスポイントがＳＴＡ３１を認証した場合は帰属が完了する（ステップＳ１０６／Ｙｅｓ）。一方、帰属要求を受信したアクセスポイントがＳＴＡ３１を認証しなかった場合は（ステップＳ１０７／Ｎｏ）、ＡＰサーチ部３１２は、再びＳｃａｎを行ってビーコンを捜索する（ステップＳ１０２）。【００４８】  アクセスポイントへの帰属が完了すると、ＳＴＡ３１は、ＡＰ情報（アクセスポイントの使用チャネル及び識別子）を後尾のＳＴＡ３２に通知して処理を終了する。【００４９】  次に、後尾に配置されているＳＴＡ３２の動作について説明する。図４に、ＳＴＡ３２の動作の流れを示す。【００５０】  ＳＴＡ３２は、所定の受信品質でアクセスポイントと無線通信できない場合（いずれのアクセスポイントとも通信が確立していない場合を含む）（ステップＳ２０１）、ＡＰ選択部３２３は、ＳＴＡ３１から通知された最新のＡＰ情報に基づいて（ステップＳ２０２）、帰属要求の送出対象となるアクセスポイントを選択する（ステップＳ２０３）。帰属処理部３２４は、ＡＰ選択部が選択したアクセスポイントに対して帰属要求を送出する。この帰属要求は、ＳＴＡ３１から通知された最新のＡＰ情報に基づいた周波数及び識別子で送出される（ステップＳ２０４）。【００５１】  この帰属要求を受信したアクセスポイントがＳＴＡ３２を認証した場合は、アクセスポイントに対する帰属が完了する（ステップＳ２０５／Ｙｅｓ）。一方、帰属要求を受信したアクセスポイントがＳＴＡ３２を認証しなかった場合は（ステップＳ２０５）、ＡＰ選択部３２３は、ＳＴＡ３１から受信した最新のＡＰ情報に基づいて帰属要求の送出先を選択する（ステップＳ２０２、Ｓ２０３）。【００５２】  次にシステム全体の動作について説明する。図５に、移動体１００が線路上を移動していく様子を示す。この図を用いて、ＳＴＡ３１及びＳＴＡ３２の帰属状態が移動体１００の移動に伴ってどのように変化するかを説明する。【００５３】  １：ＳＴＡ３１はいずれのアクセスポイントのセル内に所在していないため、ＳＴＡ３１はＳｃａｎを行って帰属できるアクセスポイントを探している。【００５４】  １→２：ＳＴＡ３１はセル１１に進入する。この際にＳＴＡ３１はＡＰ１が定期的に送出するビーコンをＳｃａｎによって検出し、ＡＰ１に帰属要求を送出する際に必要となる情報（ＡＰ１の使用チャネル及び識別子）を取得する。ＳＴＡ３１は、所得した情報に基づいてＡＰ１に帰属要求を送出し、これに帰属する。また、ＳＴＡ３１は、Ｓｃａｎによって取得した情報をＳＴＡ３２に通知する。【００５５】  ２→３：ＳＴＡ３２はセル１１に進入する。ＳＴＡ３２は、ＡＰ１に帰属要求を送出する際に必要となる情報を既にＳＴＡ３１から通知されているため、Ｓｃａｎを行うことなくＡＰ１の使用チャネル及び識別子で帰属要求を送出し、ＡＰ１に帰属する。一方、ＳＴＡ３１は、引き続きＡＰ１に帰属する。【００５６】  ３→４：ＳＴＡ３１はセル１１から離脱する。セル１１から離脱したＳＴＡ３１は、Ｓｃａｎを行って帰属可能なアクセスポイントを探す。ＳＴＡ３２は、引き続きＡＰ１に帰属する。【００５７】  ４→５：ＳＴＡ３１は、セル１２に進入する。この際にＳＴＡ３１はＡＰ２が定期的に送出するビーコンをＳｃａｎによって検出し、ＡＰ２に帰属要求を送出する際に必要となる情報（ＡＰ２の使用チャネル及び識別子）を取得する。ＳＴＡ３１は、所得した情報に基づいてＡＰ２に帰属要求を送出し、これに帰属する。また、ＳＴＡ３１は、Ｓｃａｎによって取得した情報をＳＴＡ３２に通知する。【００５８】  一方、ＳＴＡ３２は、セル１１から離脱し、いずれのアクセスポイントにも帰属していない状態となる。【００５９】  ５→６：ＳＴＡ３２はセル１２に進入する。ＳＴＡ３２は、ＡＰ２に帰属要求を送出する際に必要となる情報を既にＳＴＡ３１から通知されているため、Ｓｃａｎを行うことなくＡＰ２の使用チャネル及び識別子で帰属要求を送出し、ＡＰ２に帰属する。一方、ＳＴＡ３１は、引き続きＡＰ１に帰属する。【００６０】  ６→７：ＳＴＡ３１はセル１２から離脱する。セル１２から離脱したＳＴＡ３１は、Ｓｃａｎを行って帰属可能なアクセスポイントを探す。ＳＴＡ３１は、引き続きＡＰ２に帰属する。【００６１】  ７→８：ＳＴＡ３１は、セル１３に進入する。この際にＳＴＡ３１はＡＰ３が定期的に送出するビーコンをＳｃａｎによって検出し、ＡＰ３に帰属要求を送出する際に必要となる情報（ＡＰ３の使用チャネル及び識別子）を取得する。ＳＴＡ３１は、所得した情報に基づいてＡＰ３に帰属要求を送出し、これに帰属する。また、ＳＴＡ３１は、Ｓｃａｎによって取得した情報をＳＴＡ３２に通知する。【００６２】  一方、ＳＴＡ３２は、セル１２から離脱し、いずれのアクセスポイントにも帰属していない状態となる。【００６３】  ８→９：ＳＴＡ３２はセル１３に進入する。ＳＴＡ３２は、ＡＰ３に帰属要求を送出する際に必要となる情報を既にＳＴＡ３１から通知されているため、Ｓｃａｎを行うことなくＡＰ３の使用チャネル及び識別子で帰属要求を送��し、ＡＰ３に帰属する。一方、ＳＴＡ３１は、引き続きＡＰ１に帰属する。【００６４】  ９→１０：ＳＴＡ３１はセル１３から離脱する。セル１３から離脱したＳＴＡ３１は、Ｓｃａｎを行って帰属可能なアクセスポイントを探す。ＳＴＡ３１は、引き続きＡＰ３に帰属する。【００６５】  以上のように、移動体１００の進行方向先頭側に配置されたＳＴＡ３１がＳｃａｎによって得た情報を後方のＳＴＡ３２に通知するため、ＳＴＡ３２は、Ｓｃａｎを行うことなくアクセスポイントに帰属できる。【００６６】  〔動作例１−２〕
本実施形態に係る通信システムの第２の動作例について説明する。ＳＴＡ３１及びＳＴＡ３２の個別の動作に関しては、第１の動作例とほぼ同様であるが、ＳＴＡ３１からＳＴＡ３２へのＡＰ情報の通知はＳＴＡ３２からの要求に応じて行われる。すなわち、第２の動作例では、ＡＰ情報はＳＴＡ３１からプッシュ配信されるのではなく、ＳＴＡ３２からのプルに応じて配信される。【００６７】  図５を用いてＳＴＡ３１及びＳＴＡ３２の帰属状態が移動体１００の移動に伴ってどのように変化するかを説明する。【００６８】  １：ＳＴＡ３１はいずれのアクセスポイントのセル内に所在していないため、ＳＴＡ３１はＳｃａｎを行って帰属できるアクセスポイントを探している。また、ＳＴＡ３２は、Ｓｃａｎによって得たアクセスポイントの情報を通知するようにＳＴＡ３１に要求するが、ＳＴＡ３１がどのセルにも属していないため、通知される情報はない。【００６９】  １→２：ＳＴＡ３１はセル１１に進入する。この際にＳＴＡ３１はＡＰ１が定期的に送出するビーコンをＳｃａｎによって検出し、ＡＰ１に帰属要求を送出する際に必要となる情報（ＡＰ１の使用チャネル及び識別子）を取得する。ＳＴＡ３１は、所得した情報に基づいてＡＰ１に帰属要求を送出し、これに帰属する。また、ＳＴＡ３２は、Ｓｃａｎによって得たアクセスポイントの情報を通知するようにＳＴＡ３１に要求する。ＳＴＡ３１は、ＳｃａｎによってＡＰ１の情報を取得したため、ＳＴＡ３２にはＡＰ１に関する情報が通知される。【００７０】  ２→３：ＳＴＡ３２はセル１１に進入する。ＳＴＡ３２は、ＡＰ１に帰属要求を送出する際に必要となる情報を既にＳＴＡ３１から取得しているため、Ｓｃａｎを行うことなくＡＰ１の使用チャネル及び識別子で帰属要求を送出し、ＡＰ１に帰属する。一方、ＳＴＡ３１は、引き続きＡＰ１に帰属する。【００７１】  ３→４：ＳＴＡ３１はセル１１から離脱する。セル１１から離脱したＳＴＡ３１は、Ｓｃａｎを行って帰属可能なアクセスポイントを探す。ＳＴＡ３２は、引き続きＡＰ１に帰属する。【００７２】  ４→５：ＳＴＡ３１は、セル１２に進入する。この際にＳＴＡ３１はＡＰ２が定期的に送出するビーコンをＳｃａｎによって検出し、ＡＰ２に帰属要求を送出する際に必要となる情報（ＡＰ２の使用チャネル及び識別子）を取得する。ＳＴＡ３１は、所得した情報に基づいてＡＰ２に帰属要求を送出し、これに帰属する。【００７３】  一方、ＳＴＡ３２は、セル１１から離脱し、いずれのアクセスポイントにも帰属していない状態となる。ＳＴＡ３２は、Ｓｃａｎによって得たアクセスポイントの情報を通知するようにＳＴＡ３１に要求する。ＳＴＡ３１は、ＳｃａｎによってＡＰ２の情報を取得したため、ＳＴＡ３２はＡＰ２に関する情報が通知される。【００７４】  ５→６：ＳＴＡ３２はセル１２に進入する。ＳＴＡ３２は、ＡＰ２に帰属要求を送出する際に必要となる情報を既にＳＴＡ３１から取得しているため、Ｓｃａｎを行うことなくＡＰ２の使用チャネル及び識別子で帰属要求を送出し、ＡＰ２に帰属する。一方、ＳＴＡ３１は、引き続きＡＰ２に帰属する。【００７５】  ６→７：ＳＴＡ３１はセル１２から離脱する。セル１２から離脱したＳＴＡ３１は、Ｓｃａｎを行って帰属可能なアクセスポイントを探す。ＳＴＡ３２は、引き続きＡＰ２に帰属する。【００７６】  ７→８：ＳＴＡ３１は、セル１３に進入する。この際にＳＴＡ３１はＡＰ３が定期的に送出するビーコンをＳｃａｎによって検出し、ＡＰ３に帰属要求を送出する際に必要となる情報（ＡＰ３の使用チャネル及び識別子）を取得する。ＳＴＡ３１は、所得した情報に基づいてＡＰ３に帰属要求を送出し、これに帰属する。【００７７】  一方、ＳＴＡ３２は、セル１２から離脱し、いずれのアクセスポイントにも帰属していない状態となる。ＳＴＡ３２は、Ｓｃａｎによって得たアクセスポイントの情報を通知するようにＳＴＡ３１に要求する。ＳＴＡ３１は、ＳｃａｎによってＡＰ３の情報を取得したため、ＳＴＡ３２はＡＰ３に関する情報が通知される。【００７８】  ８→９：ＳＴＡ３２はセル１３に進入する。ＳＴＡ３２は、ＡＰ３に帰属要求を送出する際に必要となる情報を既にＳＴＡ３１から取得しているため、Ｓｃａｎを行うことなくＡＰ３の使用チャネル及び識別子で帰属要求を送出し、ＡＰ３に帰属する。一方、ＳＴＡ３１は、引き続きＡＰ３に帰属する。【００７９】  ９→１０：ＳＴＡ３１はセル１３から離脱する。セル１３から離脱したＳＴＡ３１は、Ｓｃａｎを行って帰属可能なアクセスポイントを探す。ＳＴＡ３２は、引き続きＡＰ３に帰属する。【００８０】  以上のように、移動体１００の進行方向後方に配置されたＳＴＡ３２は、いずれのアクセスポイントに帰属していない状態になった場合には、先頭側に配置されたＳＴＡ３１に対してＳｃａｎによって得た情報を通知するように要求するため、ＳＴＡ３２は、Ｓｃａｎを行うことなくアクセスポイントに帰属できる。【００８１】  〔動作例１−３〕
上記各動作例においては、ＳＴＡ３１はアクセスポイントへの帰属が完了した後にＳＴＡ３２に対してＡＰ情報を通知する場合について説明した。本動作例では、ＳＴＡ３１がＳｃａｎの途中において各チャネルごとのＳｃａｎ結果（Ｓｃａｎ経過情報）を順次ＳＴＡ３２に通知する場合の動作の流れを説明する。【００８２】  図６に、先頭側に配置されているＳＴＡ３１の動作の流れを示す。この動作の流れは第１の動作例とほぼ同様であるが、ＡＰサーチ部３１２がＳｃａｎを行う際に、各チャネルごとにＳｃａｎ結果をＳＴＡ３２に通知する（ステップＳ１３３）ことが相違する。【００８３】  また、図７に、後尾に配置されているＳＴＡ３２の動作の流れを示す。この動作の流れは、第１の動作例とほぼ同様であるが、ＳＴＡ３１からはＡＰ情報に先立ってＳｃａｎ経過情報が通知される（ステップＳ２３２）ことが相違する。【００８４】  次に、図８を用いてシステム全体の動作の流れについて説明する。【００８５】  １：ＳＴＡ３１及びＳＴＡ３２はいずれのアクセスポイントのセル内に所在していないため、ＳＴＡ３１はＳｃａｎを行って帰属できるアクセスポイントを探している。ＳＴＡ３１は、各チャネルのＳｃａｎ結果を順次ＳＴＡ３２に通知する。すなわち、ＳＴＡ３１は最初にＳｃａｎを行ったチャネルでビーコンを検出できなかった場合には、その旨をＳＴＡ３２に通知してから、２番目のチャネルについてＳｃａｎを行う。ここでは、ＳＴＡ３１がいずれのアクセスポイントのセル内に所在していないため、全てのチャネルについてビーコンが検出できない旨が通知される。ＳＴＡ３２は、全てのチャネルについてビーコンを検出できなかった旨をＳＴＡ３１から通知された場合には、通知されたＳｃａｎ経過情報を破棄する。【００８６】  １→２→３：まず、ＳＴＡ３１がセル１１に進入する。ここで、図９に示すように、移動体１００が“３”の位置まで進入するまでにＳＴＡ３１が第１〜第５チャネルについてＳｃａｎを実行しビーコンを検出できなかったとすると、ＳＴＡ３２には、第１〜第５チャネルについては既にＳｃａｎを実行済みであることが通知されている。よって、ＳＴＡ３２は、第１〜第５チャネルについてはＳｃａｎを行わず第６〜第１４チャネルについてのみＳｃａｎを実行する。【００８７】  Ｓｃａｎによってビーコンを検出したＳＴＡ３１及びＳＴＡ３２は、ＡＰ１に帰属要求を送出する際に必要となる情報（ＡＰ１の使用チャネル及び識別子）を取得する。ＳＴＡ３１及び３２は、所得した情報に基づいてＡＰ１に帰属要求を送出し、これに帰属する。【００８８】  ３→４：ＳＴＡ３１は、セル１１から離脱すると、ビーコンを検出するためにＳｃａｎを行う。ＳＴＡ３１は、各チャネルのＳｃａｎ結果を順次ＳＴＡ３２に通知する。移動体１００が“４”の位置にある場合ＳＴＡ３１はいずれのアクセスポイントのセル内にも所在していないため、ＳＴＡ３２には全チャネルについてビーコンを検出できなかった旨が通知される。ＳＴＡ３２は、全チャネルについてビーコンを検出できなかった旨をＳＴＡ３１から通知されたため、ここで通知された各チャネルのＳｃａｎ結果を破棄する。【００８９】  ４→５→６：まず、ＳＴＡ３１がセル１２に進入��る。ここで、移動体１００が“６”の位置まで進入するまでにＳＴＡ３１が第１〜第８チャネルについてＳｃａｎを実行しビーコンを検出できなかったとすると、ＳＴＡ３２には、第１〜第８チャネルについては既にＳｃａｎを実行済みであることが通知されている。よって、ＳＴＡ３２は、第１〜第８チャネルについてはＳｃａｎを行わず第９〜第１４チャネルについてのみＳｃａｎを実行する。【００９０】  Ｓｃａｎによってビーコンを検出したＳＴＡ３１及びＳＴＡ３２は、ＡＰ２に帰属要求を送出する際に必要となる情報（ＡＰ２の使用チャネル及び識別子）を取得する。ＳＴＡ３１及び３２は、所得した情報に基づいてＡＰ２に帰属要求を送出し、これに帰属する。【００９１】  ６→７：ＳＴＡ３１は、セル１２から離脱すると、ビーコンを検出するためにＳｃａｎを行う。ＳＴＡ３１は、各チャネルのＳｃａｎ結果を順次ＳＴＡ３２に通知する。移動体１００が“７”の位置にある場合ＳＴＡ３１はいずれのアクセスポイントのセル内にも所在していないため、ＳＴＡ３２には全チャネルについてビーコンを検出できなかった旨が通知される。ＳＴＡ３２は、全チャネルについてビーコンを検出できなかった旨をＳＴＡ３１から通知されたため、ここで通知された各チャネルのＳｃａｎ結果を破棄する。【００９２】  ７→８→９：まず、ＳＴＡ３１がセル１３に進入する。ここで、移動体１００が“９”の位置まで進入するまでにＳｃａｎを完了しビーコンを検出済みであるとすると、ＳＴＡ３２には、ＡＰ３に帰属要求を送出するために必要となる情報（ＡＰ３の使用チャネル及び識別子）が通知されている。よって、ＳＴＡ３２は、Ｓｃａｎを行うことなく帰属要求をＡＰ３に送出し、これに帰属する。【００９３】  ９→１０：ＳＴＡ３１は、セル１３から離脱すると、ビーコンを検出するためにＳｃａｎを行う。ＳＴＡ３１は、各チャネルのＳｃａｎ結果を順次ＳＴＡ３２に通知する。移動体１００が“１０”の位置にある場合ＳＴＡ３１はいずれのアクセスポイントのセル内にも所在していないため、ＳＴＡ３２には全チャネルについてビーコンを検出できなかった旨が通知される。ＳＴＡ３２は、全チャネルについてビーコンを検出できなかった旨をＳＴＡ３１から通知されたため、ここで通知された各チャネルのＳｃａｎ結果を破棄する。【００９４】  以上の動作によれば、進行方向の先頭側に配置されたＳＴＡが後方のＳＴＡにＳｃａｎ結果の少なくとも一部を通知するため、後方のＳＴＡはＳｃａｎを行う必要がないか、行うとしても全てのチャネルについて行わなくてもよい。このため、ＳＴＡがアクセスポイントのセルに進入してから帰属が完了するまでに要する時間が短縮され、通信効率が向上する。【００９５】  このように、本実施形態に係る通信システムによれば、移動体内に複数個のステーションを搭載したＬＡＮにおいて、少なくとも一部のステーションに関して通信効率を向上させることができる。【００９６】  なお、ここでは各アクセスポイントが無指向性である場合を例に説明を行ったが、図１０及び図１１に示すように、アクセスポイントが指向性を持つ場合にも同様に適用可能である。【００９７】  〔第２の実施形態〕
本発明を好適に実施した第２の実施形態について説明する。本実施形態に係る通信システム全体の構成は、第１の実施形態と同様である。【００９８】  図１２に、本実施形態に係るステーション装置の構成を示す。本実施形態に係るステーション装置は、帰属履歴情報格納部３１８及び先頭判断部３１９をさらに有する他は、第１の実施形態の通信システムに適用されるステーションと同様である。【００９９】  帰属履歴情報格納部３１８には、自装置が帰属したアクセスポイント及び過去に行ったＳｃａｎ結果が履歴として格納される。図１３に帰属履歴情報格納部３１８に格納される情報の一例を示す。先頭判断部３１９は、自装置が移動体１００の先頭に配置されているか否かを判断する処理を行う。【０１００】  本実施形態部においては、ＳＴＡ３１及びＳＴＡ３２のどちらが移動体１００の進行方向先頭側となるかは、予め定義はされていない。すなわち、ＳＴＡ３１及びＳＴＡ３２は、自装置がＡＰ情報を他のＳＴＡに通知する必要があるか否かを認識してはいない。【０１０１】  まず、各ＳＴＡの個別の動作について説明する。図１４に、各ＳＴＡの動作の流れを示す。ＳＴＡ３１及びＳＴＡ３２ともに同様の動作を実行するが、ここではＳＴＡ３１を例に説明を行う。【０１０２】  ＳＴＡ３１は、所定の受信品質でアクセスポイントと無線通信できない場合（いずれのアクセスポイントとも通信が確立していない場合を含む）（ステップＳ３０１）、ＳＴＡ３２から通知された最新のＡＰ情報と帰属履歴情報格納部３１８から読み出した情報とを比較し、自装置が移動体１００の先頭側に配置されているか否かを判断する（ステップＳ３０２〜Ｓ３０４）。なお、先頭であるか否かを判断する処理の具体例については、後段で詳細に説明する。【０１０３】  ＳＴＡ３１は、自装置が移動体１００の先頭側に配置されていると判断した場合には（ステップＳ３０４／先頭）、第１の実施形態におけるステップＳ１０２〜Ｓ１０７と同様の処理を実行する。アクセスポイントへの帰属が完了したのち、ＳＴＡ３１は、新たに帰属したアクセスポイントのＡＰ情報を帰属履歴情報格納部３１８に格納する（ステップＳ３１０）。その後、ＡＰ情報をＳＴＡ３２に通知して処理を終了する（ステップＳ３１１）。【０１０４】  次に、各ＳＴＡが、自装置が移動体１００の先頭側に配置されているか否かを判断する処理について説明する。図１５に、この処理の流れを示す。まず、先頭判断部３１９は、１番目の（換言すると最新の）帰属履歴と１番目の（最新の）ＡＰ情報とを比較する（ステップＳ４０１）。これらが一致する場合（ステップＳ４０１／一致）、先頭判断部３１９は自装置が先頭であると判断する（ステップＳ４１１）。一方、これらが一致しない場合（ステップＳ４０１／不一致）、先頭判断部３１９は、第１の変数（ここでは“ｍ”とする）の値を“２”と設定する（ステップＳ４０２）。その後先頭判断部３１９は、１番目の帰属履歴情報とＳＴＡ３２から得たｍ（ここでは“２”）番目のＡＰ情報とを比較する（ステップＳ４０３）。【０１０５】  １番目の帰属情報とｍ番目の帰属情報とが一致しなかった場合には（ステップＳ４０３／不一致）、先頭判断部３１９は、第１の変数ｍの��が、第１の比較回数（予め設定されている値であり、２以上の自然数とする）と一致するか否かを判断する（ステップＳ４０４）。【０１０６】  第１の変数ｍの値が第１の比較回数と一致する場合は（ステップＳ４０４／Ｙｅｓ）、先頭判断部３１９は、第１の変数ｍの値を“１”インクリメントした後（ステップＳ４０７）、１番目の帰属履歴とｍ番目のＡＰ情報とを比較する（ステップＳ４０３）。第１の変数ｍが第１の比較回数に達するまでに、１番目の帰属情報と一致するＡＰ情報が見つからなかった場合、先頭判断部３１９は、自装置が先頭にあると判断する（ステップＳ４０６）。【０１０７】  また、第１番目の帰属情報とｍ番目のＡＰ情報とが一致する場合（ステップＳ４０３／一致）、先頭判断部３１９は、自装置が後尾である可能性があると判断し、第２の変数（ここでは“ｎ”とする）の値を“１”と設定する（ステップＳ４０５）。その後、先頭判断部３１９は、ｎ＋１番目の帰属履歴とｍ＋ｎ番目のＡＰ情報とを比較する（ステップＳ４０８）。これらが一致する場合（ステップＳ４０８／一致）、先頭判断部３１９は、第２の変数ｎの値が、第２の比較回数（予め設定されている値であり、２以上の自然数とする）と一致するか否かを判断する（ステップＳ４０９）。【０１０８】  第２の変数ｎの値が第２の比較回数と一致しない場合（ステップＳ４０９／Ｎｏ）、先頭判断部３１９は、第２の変数ｎの値を“１”インクリメントした後（ステップＳ４１２）、ｎ＋１番目の帰属履歴とｍ＋ｎ番目のＡＰ情報とを比較する（ステップＳ４０８）。【０１０９】  ｎ＋１番目の帰属履歴とｍ＋ｎ番目のＡＰ情報とを第２の比較回数分比較する間に、一致しないものがあった場合（ステップＳ４０８／不一致）、先頭判断部３１９は自装置が先頭であると判断する（ステップＳ４１１）。【０１１０】  また、ｎ＋１番目の帰属履歴とｍ＋ｎ番目のＡＰ情報とを第２の比較回数分比較した結果、全て一致する場合は（ステップＳ４０９／Ｙｅｓ）、先頭判断部３１９は自装置が移動体１００の後尾に配置されていると判断する。これにより、ＡＰ選択部３１３は、ＡＰ情報のｍ−１番目の基地局を帰属要求の送出対象として選択する。【０１１１】  上記のように、１番目の帰属情報とｍ番目のＡＰ情報との比較を所定回数（上記フローでは、ｍが第１の比較回数と一致するまで）繰り返すことにより、先頭ＳＴＡ、中間ＳＴＡ、末尾ＳＴＡが配置された移動体１００が３以上のアクセスポイントのセルをまたいでいるような場合でも、先頭判断部３１９は自装置が後尾となる可能性があるか否かを判断できる。【０１１２】  また、先頭判断部３１９は、自装置が後尾となる可能性がある場合に、第２の比較回数分だけ帰属履歴とＡＰ情報を比較し、これも一致していれば自装置が後尾に配置されていると判断することができる。先頭判断部３１９が自装置が後尾側であると判断した場合には、ＡＰ選択部３１３はＡＰ情報ｍ−１のアクセスポイントを帰属要求の送出対象として選択することができ、帰属要求を送出するために必要となる情報（ＡＰの周波数及び識別子）は既に取得済みであるため、ＳＴＡ３１が帰属対象のセルに進入すると帰属処理部３１４が速やかに帰属処理を行える。【０１１３】  〔動作例２−１〕
本実施形態に係る通信システムの第１の動作例について説明する。図５（ａ）を用いて、ＳＴＡ３１及びＳＴＡ３２の通信状態が移動体１００の移動に伴ってどのように変化するかを説明する。【０１１４】  １：ＳＴＡ３１及びＳＴＡ３２はいずれのアクセスポイントにも帰属していないため、相手側のステーションの帰属履歴情報格納部３１８及び３２８に格納されている情報にアクセスし、自身の通信状態の履歴及び他のＳＴＡの帰属状態の履歴を参照する。ここでは、各ＳＴＡは自装置及び他のＳＴＡともに通信状態に履歴がないことを確認する。その後各ＳＴＡは、Ｓｃａｎを行って帰属できるアクセスポイントを探す。【０１１５】  １→２：ＳＴＡ３１はセル１１に進入する。この際にＳＴＡ３１はＡＰ１が定期的に送出するビーコンをＳｃａｎによって検出し、ＡＰ１に帰属要求を送出する際に必要となる情報（ＡＰ１の使用チャネル及び識別子）を取得する。ＳＴＡ３１は、所得した情報に基づいてＡＰ１に帰属要求を送出し、これに帰属する。その後、ＳＴＡ３１は、ＡＰ１に帰属したことを示す情報並びにＡＰ１の使用チャネル及び識別子を示す情報を帰属履歴情報格納部３１８に登録する。【０１１６】  ＳＴＡ３２は、いずれのアクセスポイントにも帰属していないため、帰属履歴情報格納部３１８及び３２８に格納されている情報を参照した後にＳｃａｎを行うという動作を繰り返す。ただし、ＳＴＡ３１がＡＰ１に帰属したことを示す情報を帰属履歴情報格納部３１８に登録した後は、各Ｓｃａｎの際にはＡＰ１の使用チャネルを最初とし各チャネルを順番にＳｃａｎする。【０１１７】  ２→３：ＳＴＡ３２はセル１１に進入する。ＳＴＡ３２は、Ｓｃａｎの際にＡＰ１の使用チャネルを最初にＳｃａｎするため、１回目のＳｃａｎでＡＰ１のビーコンを検出する。ＳＴＡ３２は、ＡＰ１に帰属要求を送出してＡＰ１に帰属する。その後、ＳＴＡ３２は、ＡＰ１に帰属したことを示す情報及びＡＰ１の使用チャネル並びに識別子を示す情報を帰属履歴情報格納部３２８に登録する。【０１１８】  ３→４：ＳＴＡ３１はセル１１から離脱する。セル１１から離脱したＳＴＡ３１は、帰属履歴情報格納部３１８及び３２８に格納されている情報にアクセスして、自装置及び他のＳＴＡの通信状況の履歴を参照する。ＳＴＡ３１は自装置の履歴及びＳＴＡ３２の履歴を比較するが、ＳＴＡ３２はＳＴＡ３１よりも後でＡＰ１に帰属しているため、ＳＴＡ３１は通常のＳｃａｎを実行する。【０１１９】  ４→５：ＳＴＡ３１は、セル１２に進入する。この際にＳＴＡ３１はＡＰ２が定期的に送出するビーコンをＳｃａｎによって検出し、ＡＰ２に帰属要求を送出する際に必要となる情報（ＡＰ２の使用チャネル及び識別子）を取得する。ＳＴＡ３１は、所得した情報に基づいてＡＰ２に帰属要求を送出し、これに帰属する。その後、ＳＴＡ３１は、ＡＰ２に帰属したことを示す情報並びにＡＰ２の使用チャネル及び識別子を示す情報を帰属履歴情報格納部３１８に登録する。【０１２０】  一方、ＳＴＡ３２は、セル１１から離脱し、いずれのアクセスポイントにも帰属していない状態となる。ＳＴＡ３２は、帰属履歴情報格納部３１８及び３２８に格納されている情報を参照し、自装置よりも先にＡＰ１に���属したＳＴＡ３１が今度はＡＰ２に帰属したことを把握する。このため、ＳＴＡ３２は、Ｓｃａｎ実行前にＡＰ２の使用チャネル及び識別子で帰属要求を送出し、これに対する応答が無かった場合にはＡＰ２の使用チャネルを最初とし各チャネルを順番にＳｃａｎするという動作を繰り返す。【０１２１】  ５→６：ＳＴＡ３２はセル１２に進入する。ＳＴＡ３２は、Ｓｃａｎ実行前にＡＰ２の使用チャネル及び識別子で帰属要求を送出するため、セル１２に進入した後はＳｃａｎを行うことなくＡＰ２に帰属する。その後、ＳＴＡ３２は、ＡＰ２に帰属したことを示す情報及びＡＰ２の使用チャネル並びに識別子を示す情報を帰属履歴情報格納部３２８に登録する。【０１２２】  ６→７：ＳＴＡ３１はセル１２から離脱する。セル１２から離脱したＳＴＡ３１は、帰属履歴情報格納部３１８及び３２８に格納されている情報にアクセスして、自装置及び他のＳＴＡの通信状況の履歴を参照する。ＳＴＡ３１は自装置の履歴及びＳＴＡ３２の履歴を比較するが、ＳＴＡ３２はＳＴＡ３１よりも後でＡＰ１及びＡＰ２に帰属しているため、ＳＴＡ３１は通常のＳｃａｎを実行する。【０１２３】  ７→８：ＳＴＡ３１は、セル１３に進入する。この際にＳＴＡ３１はＡＰ３が定期的に送出するビーコンをＳｃａｎによって検出し、ＡＰ３に帰属要求を送出する際に必要となる情報（ＡＰ３の使用チャネル及び識別子）を取得する。ＳＴＡ３１は、所得した情報に基づいてＡＰ３に帰属要求を送出し、これに帰属する。その後、ＳＴＡ３１は、ＡＰ３に帰属したことを示す情報並びにＡＰ３の使用チャネル及び識別子を示す情報を帰属履歴情報格納部３１８に登録する。【０１２４】  一方、ＳＴＡ３２は、セル１２から離脱し、いずれのアクセスポイントにも帰属していない状態となる。ＳＴＡ３２は、帰属履歴情報格納部３１８及び３２８に格納されている情報を参照し、自装置よりも先にＡＰ１及びＡＰ２に帰属していたＳＴＡ３１が今度はＡＰ３に帰属したことを把握する。このため、ＳＴＡ３２は、Ｓｃａｎ実行前にＡＰ３の使用チャネル及び識別子で帰属要求を送出し、これに対する応答が無かった場合にはＡＰ３の使用チャネルを最初とし各チャネルを順番にＳｃａｎするという動作を繰り返す。【０１２５】  ８→９：ＳＴＡ３２はセル１３に進入する。ＳＴＡ３２は、Ｓｃａｎ実行前にＡＰ３の使用チャネル及び識別子で帰属要求を送出するため、セル１２に進入した後はＳｃａｎを行うことなくＡＰ３に帰属する。その後、ＳＴＡ３２は、ＡＰ３に帰属したことを示す情報及びＡＰ２の使用チャネル並びに識別子を示す情報を帰属履歴情報格納部３２８に登録する。【０１２６】  ９→１０：ＳＴＡ３１はセル１３から離脱する。セル１３から離脱したＳＴＡ３１は、帰属履歴情報格納部３１８及び３２８に格納されている情報にアクセスして、自装置及び他のＳＴＡの通信状況の履歴を参照する。ＳＴＡ３１は自装置の履歴及びＳＴＡ３２の履歴を比較するが、ＳＴＡ３２はＳＴＡ３１よりも後でＡＰ１、ＡＰ２及びＡＰ３に帰属しているため、ＳＴＡ３１は通常のＳｃａｎを実行する。【０１２７】  以上の動作によれば、進行方向の先頭側となるか後方となるかを各ＳＴＡに予め定義しておかなくとも、各ＳＴ��は帰属状態の履歴に基づいて先頭側となるか後方となるかを認識できる。これにより、進行方向後尾側となったＳＴＡは、アクセスポイントの切換に要する時間が低減され、通信効率が向上する。【０１２８】  なお、上記の動作例では、後方のＳＴＡは自装置が直前に帰属していたアクセスポイントに対して先に帰属していたＳＴＡの帰属状態を参照して、次に帰属するアクセスポイントを予測しているが、これに限定されることはない。例えば、自装置と他のＳＴＡの通信状態とを所定数分（例えば５回分）比較し一定数以上（例えば４回以上）先行してアクセスポイントに帰属しているＳＴＡがある場合に、そのＳＴＡと同じセルに帰属すると予測するようにしてもよい。【０１２９】  〔動作例２−２〕
図８を用いて本実施形態に係る通信システムの第２の動作例について説明する。【０１３０】  １：ＳＴＡ３１及びＳＴＡ３２はいずれのアクセスポイントのセル内に所在していないため、ＳＴＡ３１及びＳＴＡ３２はＳｃａｎを行って帰属できるアクセスポイントを探している。ＳＴＡ３１及び３２は、各チャネルのＳｃａｎ結果を順次帰属履歴情報格納部３１８及び３２８にそれぞれ登録する。すなわち、各ＳＴＡは最初にＳｃａｎを行ったチャネルでビーコンを検出できなかった場合には、その旨を帰属履歴情報格納部３１８又は３２８に登録してから、２番目のチャネルについてＳｃａｎを行う。ここでは、ＳＴＡ３１及び３２がいずれのアクセスポイントのセル内に所在していないため、全てのチャネルについてビーコンが検出できない旨が帰属履歴情報格納部３１８及び３２８に登録される。帰属履歴情報格納部３１８及び３２８には、全てのチャネルについてのＳｃａｎ結果に基づいて、ＳＴＡ３１及び３２がいずれのセルにも帰属していないことを示す情報が各ＳＴＡの通信状態の履歴としてそれぞれ登録される。【０１３１】  １→２→３：まず、ＳＴＡ３１がセル１１に進入する。ＳＴＡ３１は、帰属履歴情報格納部３１８及び３２８に格納されている情報へアクセスし、自装置及び他のＳＴＡの帰属状況の履歴を参照する。ここでは、ＳＴＡ３１及びＳＴＡ３２ともにまだいずれのセルにも帰属していないので、ＳＴＡ３１は通常のＳｃａｎを実行する。ここで、移動体１００が“３”の位置まで進入するまでにＳＴＡ３１が第１〜第５チャネルについてＳｃａｎを実行し、ビーコンを検出できていなかったとすると、帰属履歴情報格納部３１８には、第１〜第５チャネルについては既にＳｃａｎを実行済みであり、ビーコンを検出できなかったことを示す情報が登録されていることとなる。【０１３２】  一方、ＳＴＡ３２は、Ｓｃａｎを実行する前に帰属履歴情報格納部３１８及び３２８に格納されている情報にアクセスするが、移動体１００が“３”の位置にある時点では、ＳＴＡ３１及びＳＴＡ３２はまだいずれのアクセスポイントにも帰属していないため、ＳＴＡ３２は、帰属履歴情報格納部３１８に格納されているＳＴＡ３１のＳｃａｎ結果に関する情報を参照する。ここでは、第１〜第５チャネルまでのＳｃａｎが終了し、ビーコンを検出できていないことを示す情報が登録されているため、ＳＴＡ３２は、第１〜第５チャネルについてＳｃａｎしてもビーコンを検出できないということを把握する。このため、ＳＴＡ３２は、第１〜第５チャネルについてはＳｃａｎを行わず第６〜第１４チャネルについてのみＳｃａｎを実行する。【０１３３】  Ｓｃａｎによってビーコンを検出したＳＴＡ３１及びＳＴＡ３２は、ＡＰ１に帰属要求を送出する際に必要となる情報（ＡＰ１の使用チャネル及び識別子）を取得する。ＳＴＡ３１及び３２は、所得した情報に基づいてＡＰ１に帰属要求を送出し、これに帰属する。そして、各ＳＴＡは、ＡＰ１に帰属したことを示す情報を帰属履歴情報格納部３１８及び３２８にそれぞれ登録する。【０１３４】  ３→４：ＳＴＡ３１は、セル１１から離脱すると、帰属履歴情報格納部３１８及び３２８に格納されている情報にアクセスし、自装置及び他のＳＴＡ��帰属状況の履歴を参照する。ＳＴＡ３１は自装置の履歴及びＳＴＡ３２の履歴を比較するが、ＳＴＡ３２はＳＴＡ３１よりも後でＡＰ１に帰属しているため、ＳＴＡ３１はビーコンを検出するために通常通りのＳｃａｎを行う。ＳＴＡ３１は、各チャネルのＳｃａｎ結果を順次帰属履歴情報格納部３１８に登録する。移動体１００が“４”の位置にある場合ＳＴＡ３１はいずれのアクセスポイントのセル内にも所在していないため、全てのチャネルについてビーコンが検出できない旨が帰属履歴情報格納部３１８に登録される。ＳＴＡ３１は、全てのチャネルについてのＳｃａｎ結果に基づいて、ＳＴＡ３１がいずれのセルにも帰属していないことを示す情報を帰属情報履歴情報格納部３１８に格納する。【０１３５】  ４→５→６：まず、ＳＴＡ３１がセル１２に進入する。ここで、移動体１００が“６”の位置まで進入するまでにＳＴＡ３１が第１〜第８チャネルについてＳｃａｎを実行し、ビーコンを検出できなかったとすると、帰属履歴情報格納部３１８には、第１〜第８チャネルについては既にＳｃａｎを実行済みであることが登録されている。よって、ＳＴＡ３２は、Ｓｃａｎ実行前に帰属履歴情報格納部３１８及び３２８に格納されている情報にアクセスした際に、第１〜第８チャネルについてＳｃａｎしてもビーコンを検出できないということを把握する。このため、ＳＴＡ３２は、第１〜第８チャネルについてはＳｃａｎを行わず第９〜第１４チャネルについてのみＳｃａｎを実行する。【０１３６】  Ｓｃａｎによってビーコンを検出したＳＴＡ３１及びＳＴＡ３２は、ＡＰ２に帰属要求を送出する際に必要となる情報（ＡＰ２の使用チャネル及び識別子）を取得する。ＳＴＡ３１及び３２は、所得した情報に基づいてＡＰ２に帰属要求を送出し、これに帰属する。そして、各ＳＴＡは、ＡＰ２に帰属したことを示す情報を帰属履歴情報格納部３１８及び３２８にそれぞれ登録する。【０１３７】  ６→７：ＳＴＡ３１は、セル１１から離脱すると、帰属履歴情報格納部３１８及び３２８に格納されている情報にアクセスし、自装置及び他のＳＴＡの帰属状況の履歴を参照する。ＳＴＡ３１は自装置の履歴及びＳＴＡ３２の履歴を比較するが、ＳＴＡ３２はＳＴＡ３１よりも後でＡＰ１及びＡＰ２に帰属しているため、ＳＴＡ３１はビーコンを検出するために通常通りのＳｃａｎを行う。ＳＴＡ３１は、各チャネルのＳｃａｎ結果を順次帰属履歴情報格納部３１８に登録する。移動体１００が“７”の位置にある場合ＳＴＡ３１はいずれのアクセスポイントのセル内にも所在していないため、全てのチャネルについてビーコンが検出できない旨が帰属履歴情報格納部３１８に登録される。また、ＳＴＡ３１は、全てのチャネルについてのＳｃａｎ結果に基づいて、ＳＴＡ３１がいずれのセルにも帰属していないことを示す情報を帰属履歴情報格納部３１８に登録する。【０１３８】  ７→８→９：まず、ＳＴＡ３１がセル１３に進入する。ここで、移動体１００が“９”の位置まで進入するまでにＳｃａｎを完了し、ビーコンを検出し終えているとすると、帰属履歴情報格納部３１８には、ＳＴＡ３１がＡＰ３に帰属したことを示す情報及びＡＰ３に帰属するために必要となる情報（ＡＰ３の使用チャネル及び識別子）が登録されている。よって、ＳＴＡ３２は、帰属履歴情報格納部３１８及び３２８に格納されている情報を参照することにより、セル１３に進入するのに先立ってＡＰ３の使用チャネル及び識別子を取得できる。このため、ＳＴＡ３２は、Ｓｃａｎを実行することなくＡＰ３に帰属要求を送出し、これに帰属する。【０１３９】  ９→１０：ＳＴＡ３１は、セル１３から離脱すると、帰属履歴情報格納部３１８及び３２８に格納されている情報にアクセスし、自装置及び他のＳＴＡの帰属状況の履歴を参照する。ＳＴＡ３１は自装置の履歴及びＳＴＡ３２の履歴を比較するが、ＳＴＡ３２はＳＴＡ３１よりも後でＡＰ１、ＡＰ２及びＡＰ３に帰属しているため、ＳＴＡ３１はビーコンを検出するために通常通りのＳｃａｎを行う。ＳＴＡ３１は、各チャネルのＳｃａｎ結果を帰属履歴情報格納部３１８に登録する。移動体１００が“１０”の位置にある場合ＳＴＡ３１はいずれのアクセスポイントのセル内にも所在していないため、帰属履歴情報格納部３１８には全チャネルについてビーコンを検出できなかった旨が登録される。また、ＳＴＡ３１は、全てのチャネルについてのＳｃａｎ結果に基づいて、ＳＴＡ３１がいずれのセルにも帰属していないことを示す情報を帰属履歴情報格納部３１８に登録する。【０１４０】  以上の動作によれば、進行方向の先頭側に配置されたＳＴＡが後方のＳＴＡにＳｃａｎ結果の少なくとも一部を通知するため、後方のＳＴＡはＳｃａｎを行う必要がないか、行うとしても全てのチャネルについて行わなくてもよい。このため、ＳＴＡがアクセスポイントのセルに進入してから帰属が完了するまでに要する時間が短縮され、通信効率が向上する。【０１４１】  本実施形態に係る通信システムでは、各ＳＴＡに進行方向を予め定義しておく必要がない。よって、鉄道車両のように前後どちらの方向にも移動する可能性がある移動体に好適である。【０１４２】  〔第３の実施形態〕
本発明を好適に実施した第３の実施形態について説明する。図１６に本実施形態に係る通信システムの構成を示す。本実施形態に係る通信システムは、基地局情報管理サーバ４１をさらに有する他は、第１の実施形態に係る通信システムと同様である。ただし、本実施形態においては、第２の実施形態と同様にＳＴＡ３１及び３２のいずれが進行方向先頭側に配置されるかは予め定義されておらず、各ＳＴＡともどちらが進行方向先頭側に配置されるかを認識してはいない。【０１４３】  アクセス情報管理サーバ４１は、ステーションの通信状況の履歴に関する情報（どのアクセスポイントに帰属していたかを示す情報）が各ＳＴＡごとに格納される。【０１４４】  図１７に、ＳＴＡ３１の構成を示す。本実施形態におけるＳＴＡ３１は、第１の実施形態の構成に加えて先頭判断部３１９をさらに有する構成である。【０１４５】  先頭判断部３１９は、第２の実施形態と同様の処理を行って自装置が移動体１００の先頭に配置されているか否かを判断するが、本実施形態においては基地局情報管理サーバ４１に格納されている情報に基づいて処理を行う。【０１４６】  〔動作例３−１〕
本実施形態に係る通信システムの第１の動作例について説明する。図５（ａ）用いて、ＳＴＡ３１及びＳＴＡ３２の通信状態が移動体１００の移動に伴ってどのように変化するかを説明する。【０１４７】  １：ＳＴＡ３１及びＳＴＡ３２はいずれのアクセスポイントにも帰属していないため、基地局情報管理サーバ４１に格納されている情報にアクセスし、自身の通信状態の履歴及び他のＳＴＡの通信状態の履歴を参照する。ここでは、各ＳＴＡは自装置及び他のＳＴＡともに通信状態に履歴がないことを確認する。その後各ＳＴＡは、Ｓｃａｎを行って帰属できるアクセスポイントを探す。【０１４８】  １→２：ＳＴＡ３１はセル１１に進入する。この際にＳＴＡ３１はＡＰ１が定期的に送出するビーコンをＳｃａｎによって検出し、ＡＰ１に帰属要求を送出する際に必要となる情報（ＡＰ１の使用チャネル及び識別子）を取得する。ＳＴＡ３１は、所得した情報に基づいてＡＰ１に帰属要求を送出し、これに帰属する。【０１４９】その後、ＳＴＡ３１は、ＡＰ１に帰属したことを示す情報並びにＡＰ１の使用チャネル及び識別子を示す情報を基地局情報管理サーバ４１に登録する。【０１５０】  ＳＴＡ３２は、いずれのアクセスポイントにも帰属していないため、基地局情報管理サーバ４１に格納されている情報を参照した後にＳｃａｎを行うという動作を繰り返す。ただし、ＳＴＡ３１がＡＰ１に帰属したことを示す情報を登録した後は、各Ｓｃａｎの際にはＡＰ１の使用チャネルを最初とし各チャネルを順番にＳｃａｎする。【０１５１】  ２→３：ＳＴＡ３２はセル１１に進入する。ＳＴＡ３２は、Ｓｃａｎの際にＡＰ１の使用チャネルを最初にＳｃａｎするため、１回目のＳｃａｎでＡＰ１のビーコンを検出する。ＳＴＡ３２は、ＡＰ１に帰属要求を送出してＡＰ１に帰属する。その後、ＳＴＡ３２は、ＡＰ１に帰属したことを示す情報及びＡＰ１の使用チャネル並びに識別子を示す情報を基地局情報管理サーバ４１に登録する。【０１５２】  ３→４：ＳＴＡ３１はセル１１から離脱する。セル１１から離脱したＳＴＡ３１は、基地局情報管理サーバ４１に格納されている情報にアクセスして、自装置及び他のＳＴＡの通信状況の履歴を参照する。ＳＴＡ３１は自装置の履歴及びＳＴＡ３２の履歴を比較するが、ＳＴＡ３２はＳＴＡ３１よりも後でＡＰ１に帰属しているため、ＳＴＡ３１は通常のＳｃａｎを実行する。【０１５３】  ４→５：ＳＴＡ３１は、セル１２に進入する。この際にＳＴＡ３１はＡＰ２が定期的に送出するビーコンをＳｃａｎによって検出し、ＡＰ２に帰属要求を送出する際に必要となる情報（ＡＰ２の使用チャネル及び識別子）を取得する。ＳＴＡ３１は、所得した情報に基づいてＡＰ２に帰属要求を送出し、これに帰属する。その後、ＳＴＡ３１は、ＡＰ２に帰属したことを示す情報並びにＡＰ２の使用チャネル及び識別子を示す情報を基地局情報管理サーバ４１に登録する。【０１５４】  一方、ＳＴＡ３２は、セル１１から離脱し、いずれのアクセスポイントにも帰属していない状態となる。ＳＴＡ３２は、基地局情報管理サーバ４１に格納されている情報を参照し、自装置よりも先にＡＰ１に帰属したＳＴＡ３１が今度はＡＰ２に帰属したことを把握する。このため、ＳＴＡ３２���、Ｓｃａｎ実行前にＡＰ２の使用チャネル及び識別子で帰属要求を送出し、これに対する応答が無かった場合にはＡＰ２の使用チャネルを最初とし各チャネルを順番にＳｃａｎするという動作を繰り返す。【０１５５】  ５→６：ＳＴＡ３２はセル１２に進入する。ＳＴＡ３２は、Ｓｃａｎ実行前にＡＰ２の使用チャネル及び識別子で帰属要求を送出するため、セル１２に進入した後はＳｃａｎを行うことなくＡＰ２に帰属する。その後、ＳＴＡ３２は、ＡＰ２に帰属したことを示す情報及びＡＰ２の使用チャネル並びに識別子を示す情報を基地局情報管理サーバ４１に登録する。【０１５６】  ６→７：ＳＴＡ３１はセル１２から離脱する。セル１２から離脱したＳＴＡ３１は、基地局情報管理サーバ４１に格納されている情報にアクセスして、自装置及び他のＳＴＡの通信状況の履歴を参照する。ＳＴＡ３１は自装置の履歴及びＳＴＡ３２の履歴を比較するが、ＳＴＡ３２はＳＴＡ３１よりも後でＡＰ１及びＡＰ２に帰属しているため、ＳＴＡ３１は通常のＳｃａｎを実行する。【０１５７】  ７→８：ＳＴＡ３１は、セル１３に進入する。この際にＳＴＡ３１はＡＰ３が定期的に送出するビーコンをＳｃａｎによって検出し、ＡＰ３に帰属要求を送出する際に必要となる情報（ＡＰ３の使用チャネル及び識別子）を取得する。ＳＴＡ３１は、所得した情報に基づいてＡＰ３に帰属要求を送出し、これに帰属する。その後、ＳＴＡ３１は、ＡＰ３に帰属したことを示す情報並びにＡＰ３の使用チャネル及び識別子を示す情報を基地局情報管理サーバ４１に登録する。【０１５８】  一方、ＳＴＡ３２は、セル１２から離脱し、いずれのアクセスポイントにも帰属していない状態となる。ＳＴＡ３２は、基地局情報管理サーバ４１に格納されている情報を参照し、自装置よりも先にＡＰ１及びＡＰ２に帰属したＳＴＡ３１が今度はＡＰ３に帰属したことを把握する。このため、ＳＴＡ３２は、Ｓｃａｎ実行前にＡＰ３の使用チャネル及び識別子で帰属要求を送出し、これに対する応答が無かった場合にはＡＰ３の使用チャネルを最初とし各チャネルを順番にＳｃａｎするという動作を繰り返す。【０１５９】  ８→９：ＳＴＡ３２はセル１３に進入する。ＳＴＡ３２は、Ｓｃａｎ実行前にＡＰ３の使用チャネル及び識別子で帰属要求を送出するため、セル１２に進入した後はＳｃａｎを行うことなくＡＰ３に帰属する。その後、ＳＴＡ３２は、ＡＰ３に帰属したことを示す情報及びＡＰ２の使用チャネル並びに識別子を示す情報を基地局情報管理サーバ４１に登録する。【０１６０】  ９→１０：ＳＴＡ３１はセル１３から離脱する。セル１３から離脱したＳＴＡ３１は、基地局情報管理サーバ４１に格納されている情報にアクセスして、自装置及び他のＳＴＡの通信状況の履歴を参照する。ＳＴＡ３１は自装置の履歴及びＳＴＡ３２の履歴を比較するが、ＳＴＡ３２はＳＴＡ３１よりも後でＡＰ１、ＡＰ２及びＡＰ３に帰属しているため、ＳＴＡ３１は通常のＳｃａｎを実行する。【０１６１】  以上の動作によれば、進行方向の先頭側となるか後方となるかを予め定義しておかなくとも、各ＳＴＡは帰属状態の履歴に基づいて先頭側となるか後方となるかを認識できる。【０１６２】  なお、上記の動作例では、後方のＳＴＡは自装置が直前に帰属していたアクセスポイントに対して先に帰属していたＳＴＡの通信状態を参照して、次に帰属するアクセスポイントを予測しているが、これに限定されることはない。例えば、自装置と他のＳＴＡの通信状態とを所定数分（例えば５回分）比較し一定数以上（例えば４回以上）先行してアクセスポイントに帰属しているＳＴＡがある場合に、そのＳＴＡと同じセルに帰属すると予測するようにしてもよい。【０１６３】  〔動作例３−２〕
図８を用いて本実施形態に係る通信システムの第２の動作例について説明する。【０１６４】  １：ＳＴＡ３１及びＳＴＡ３２はいずれのアクセスポイントのセル内に所在していないため、ＳＴＡ３１及びＳＴＡ３２はＳｃａｎを行って帰属できるアクセスポイントを探している。ＳＴＡ３１及び３２は、各チャネルのＳｃａｎ結果を順次基地局情報管理サーバ４１に登録する。すなわち、各ＳＴＡは最初にＳｃａｎを行ったチャネルでビーコンを検出できなかった場合には、その旨を基地局情報管理サーバ４１に登録してから、２番目のチャネルについてＳｃａｎを行う。ここでは、ＳＴＡ３１及び３２がいずれのアクセスポイントのセル内に所在していないため、全てのチャネルについてビーコンが検出できない旨が基地局情報管理サーバ４１に登録される。基地局情報管理サーバ４１は、全てのチャネルについてのＳｃａｎ結果に基づいて、ＳＴＡ３１及び３２がいずれのセルにも帰属していないことを示す情報を各ＳＴＡの通信状態の履歴としてそれぞれ登録する。【０１６５】  １→２→３：まず、ＳＴＡ３１がセル１１に進入する。ＳＴＡ３１は、基地局情報管理サーバ４１に格納されている情報へアクセスし、自装置及び他のＳＴＡの通信状況の履歴を参照する。ここでは、ＳＴＡ３１及びＳＴＡ３２ともにまだいずれのセルにも帰属していないので、ＳＴＡ３１は通常のＳｃａｎを実行する。ここで、移動体１００が“３”の位置まで進入するまでにＳＴＡ３１が第１〜第５チャネルについてＳｃａｎを実行し、ビーコンを検出できていなかったとすると、ＳＴＡ３１は、第１〜第５チャネルについては既にＳｃａｎを実行済みであり、ビーコンを検出できなかったことを示す情報を基地局情報管理サーバ４１に登録する。【０１６６】  一方、ＳＴＡ３２は、Ｓｃａｎを実行する前に基地局情報管理サーバ４１に格納されている情報にアクセスするが、移動体１００が“３”の位置にある時点では、ＳＴＡ３１及びＳＴＡ３２はまだいずれのアクセスポイントにも帰属していないため、ＳＴＡ３２は、ＳＴＡ３１のＳｃａｎ結果に関する情報を参照する。ここでは、第１〜第５チャネルまでのＳｃａｎが終了し、ビーコンを検出できていないことを示す情報が登録されているため、ＳＴＡ３２は、第１〜第５チャネルについてＳｃａｎしてもビーコンを検出できないということを把握する。このため、ＳＴＡ３２は、第１〜第５チャネルについてはＳｃａｎを行わず第６〜第１４チャネルについてのみＳｃａｎを実行する。【０１６７】  Ｓｃａｎによってビーコンを検出したＳＴＡ３１及びＳＴＡ３２は、ＡＰ１に帰属要求を送出する際に必要となる情報（ＡＰ１の使用チャネル及び識別子）を取得する。ＳＴＡ３１及び３２は、所得した情報に基づいてＡＰ１に帰属要求を送出し、これに帰属する。【０１６８】  ３→４：ＳＴＡ３１は、セル１１から離脱すると、基地局情報管理サーバ４１に格納されている情報にアクセスし、自装置及び他のＳＴＡの通信状況の履歴を参照する。ＳＴＡ３１は自装置の履歴及びＳＴＡ３２の履歴を比較するが、ＳＴＡ３２はＳＴＡ３１よりも後でＡＰ１に帰属しているため、ＳＴＡ３１はビーコンを検出するために通常通りのＳｃａｎを行う。ＳＴＡ３１は、各チャネルのＳ��ａｎ結果を順次基地局情報管理サーバ４１に登録する。移動体１００が“４”の位置にある場合ＳＴＡ３１はいずれのアクセスポイントのセル内にも所在していないため、全てのチャネルについてビーコンが検出できない旨が基地局情報管理サーバ４１に登録される。基地局情報管理サーバ４１は、全てのチャネルについてのＳｃａｎ結果に基づいて、ＳＴＡ３１がいずれのセルにも帰属していないことを示す情報を各ＳＴＡの帰属状態の履歴として登録する。【０１６９】  ４→５→６：まず、ＳＴＡ３１がセル１２に進入する。ここで、移動体１００が“６”の位置まで進入するまでにＳＴＡ３１が第１〜第８チャネルについてＳｃａｎを実行し、ビーコンを検出できなかったとすると、基地局情報管理サーバ４１には、第１〜第８チャネルについては既にＳｃａｎを実行済みであることが登録されている。よって、ＳＴＡ３２は、Ｓｃａｎ実行前に基地局情報管理サーバ４１に格納されている情報にアクセスした際に、第１〜第８チャネルについてＳｃａｎしてもビーコンを検出できないということを把握する。このため、ＳＴＡ３２は、第１〜第８チャネルについてはＳｃａｎを行わず第９〜第１４チャネルについてのみＳｃａｎを実行する。【０１７０】  Ｓｃａｎによってビーコンを検出したＳＴＡ３１及びＳＴＡ３２は、ＡＰ１に帰属要求を送出する際に必要となる情報（ＡＰ２の使用チャネル及び識別子）を取得する。ＳＴＡ３１及び３２は、所得した情報に基づいてＡＰ２に帰属要求を送出し、これに帰属する。【０１７１】  ６→７：ＳＴＡ３１は、セル１１から離脱すると、ビーコンを検出するためにＳｃａｎを行う。ＳＴＡ３１は、各チャネルのＳｃａｎ結果を順次基地局情報管理サーバ４１に登録する。移動体１００が“７”の位置にある場合ＳＴＡ３１はいずれのアクセスポイントのセル内にも所在していないため、全てのチャネルについてビーコンが検出できない旨が基地局情報管理サーバ４１に登録される。基地局情報管理サーバ４１は、全てのチャネルについてのＳｃａｎ結果に基づいて、ＳＴＡ３１がいずれのセルにも帰属していないことを示す情報を各ＳＴＡの通信状態の履歴として登録する。【０１７２】  ７→８→９：まず、ＳＴＡ３１がセル１３に進入する。ここで、移動体１００が“９”の位置まで進入するまでにＳｃａｎを完了し、ビーコンを検出し終えているとすると、基地局情報管理サーバ４１には、ＳＴＡ３１がＡＰ３に帰属したことを示す情報及びＡＰ３に帰属するために必要となる情報（ＡＰ３の使用チャネル及び識別子）が登録されている。よって、ＳＴＡ３２は、Ｓｃａｎを実行することなくＡＰ３に帰属要求を送出し、これに帰属する。【０１７３】  ９→１０：ＳＴＡ３１は、セル１３から離脱すると、ビーコンを検出するためにＳｃａｎを行う。ＳＴＡ３１は、各チャネルのＳｃａｎ結果を順次基地局情報管理サーバ４１に登録する。移動体１００が“１０”の位置にある場合ＳＴＡ３１はいずれのアクセスポイントのセル内にも所在していないため、基地局情報管理サーバ４１には全チャネルについてビーコンを検出できなかった旨が通知される。ＳＴＡ３２は、全チャネルについてビーコンを検出できなかった旨をＳＴＡ３１から通知されたため、いずれの���ルにも帰属していないことを示す情報をＳＴＡ３１の帰属状態の履歴としてそれぞれ登録する。【０１７４】  以上の動作によれば、進行方向の先頭側に配置されたＳＴＡが後方のＳＴＡにＳｃａｎ結果の少なくとも一部を通知するため、後方のＳＴＡはＳｃａｎを行う必要がないか、行うとしても全てのチャネルについて行わなくてもよい。このため、ＳＴＡがアクセスポイントのセルに進入してから帰属が完了するまでに要する時間が短縮され、通信効率が向上する。【０１７５】  本実施形態に係る通信システムでは、各ＳＴＡに進行方向を予め定義しておく必要がない。よって、鉄道車両のように前後どちらの方向にも移動する可能性がある移動体に好適である。【０１７６】  〔第４の実施形態〕
本発明を好適に実施した第４の実施形態について説明する。図１８に本実施形態に係る通信システムの構成を示す。本実施形態に係る通信システムは、進行方向先頭側にＳＴＡ３３をさらに有する他は、第１の実施形態に係る通信システムと同様である。【０１７７】  本実施形態に係る通信システムの動作について説明する。図１９に、本実施形態に係る通信システムのハンドオーバ時の状態を示す。【０１７８】  ＳＴＡ３１が帰属しているアクセスポイントから遠ざかるにつれＳＩＲ（希望波／干渉波比）が低下していく、ＳＴＡ３３は現在帰属中のアクセスポイントのＳＩＲが所定値を下回ると、そのアクセスポイントへの帰属を放棄してＳｃａｎを開始する。【０１７９】  ＳＴＡ３３は、次のセルに進入した直後のＳｃａｎによって、そのアクセスポイントに帰属要求を送信するために必要となる情報（使用チャネル及び識別子）を取得し、この情報をＳＴＡ３１に通知する。【０１８０】  ＳＴＡ３１は、現在帰属しているセルから離脱すると、ＳＴＡ３３から通知された情報に基づいて次に帰属するアクセスポイントに帰属要求を送出する。これにより、ＳＴＡ３１はＳｃａｎを行うことなくＡＰ２に帰属する。【０１８１】  このように、本実施形態に係る通信システムは、進行方向後方のＳＴＡだけでなく先頭側に配置されたＳＴＡについても帰属に要する時間を短縮して通信効率を向上させることができる。【０１８２】  〔第５の実施形態〕
本発明を好適に実施した第５の実施形態について説明する。【０１８３】  図２０に、本実施形態に係る通信システムの構成を示す。本実施形態に係る通信システムは、道路に沿ってアクセスポイント（ＡＰ）１，２，３・・・が設置されており、道路上を移動する複数の移動体（自動車）１０１、１０２及び１０３のそれぞれに移動体間ネットワーク６２を介して接続されたステーション（ＳＴＡ）３１、３２及び３３が分散して配置された構成である。なお、移動体間ネットワーク６２は、各ＳＴＡを無線接続することにより構成されている。【０１８４】  図２１に本実施形態に係るＳＴＡ３１の構成を示す。本実施形態において、ＳＴＡ３１は位置情報取得部３２０及び移動速度取得部３２１をさらに有し、有線ＬＡＮインタフェース部３１７の代わりに第２無線ＬＡＮインターフェース部３２２を有する他は、第２の実施形態と同様である。位置情報取得部３２０は、自装置の位置情報を取得する機能（例えば、ＧＰＳ信号を用いて自装置の所在地を測位する機能）を有する。移動速度取得部３２１は、自装置が搭載された移動体１０１の移動速度を取得する機能を有する。移動体の移動速度は、不図示の移動体の制御装置から車速信号が入力されることによって取得するようにしても良いし、自装置の位置情報の履歴を格納しておき、最新の位置情報と比較すること移動速度を算出するようにしても良い。第２無線ＬＡＮインタフェース部３２２は、移動体間ネットワーク６２を介して情報を送受信するためのインタフェースである。なお、ＳＴＡ３２及び３３もＳＴＡ３１と同様の構成である。【０１８５】  本実施形態に係る通信システムの動作について説明する。ＳＴＡ３１、３２及び３３は、ＧＰＳ信号に基づいて自装置の位置情報を生成する。さらに、位置情報履歴格納部に格納されている過去の位置情報に基づいて移動速度を算出する。その後、移動体間ネットワーク６２を介して他のＳＴＡと位置情報及び移動速度情報を交換する。各ＳＴＡは、自装置並びに他のＳＴＡの位置情報及び移動速度情報に基づいて、自装置が先頭に位置しているか否かを判断する。このような処理をＳｃａｎ実行前に行うことで、各ＳＴＡは自身が先頭に位置しているか否かを認識できるため、第１の実施形態と同様の動作を行うことが可能となる。【０１８６】  このように、本実施形態によれば、ステーションが複数の移動体に分散されて搭載されるとしても、進行方向の後尾に位置するステーションは、アクセスポイントのセルに進入してから通信可能になるまでの時間が低減され、通信効率が向上する。【０１８７】  なお、上記各実施形態は本発明の好適な実施の一例であり、本発明はこれに限定されることはない。【０１８８】  例えば、上記各実施形態は、鉄道や自動車を例に説明を行ったが、本発明はこれに限定されることは無く、移動体が所定の経路に沿って移動するのであれば適用可能である。例えば、水路に沿ってアクセスポイントを設置し、これを通過する船舶にステーションを搭載することも可能である。【０１８９】  また、上記第３の実施形態のように基地局情報管理サーバを有する構成においても、上記第５の実施形態のように、各ステーション間を無線通信で接続することで移動体内ネットワ���ク（又は、移動体間ネットワーク）を形成するようにしても良い。【０１９０】  このように、本発明は様々な変形が可能である。
【産業上の利用可能性】
【０１９１】  本発明は、移動体に配置されたステーションを所定の経路に沿って配置されたアクセスポイントに帰属させて、ステーションとネットワーク網とを接続するために利用することができる。
【図面の簡単な説明】
【０１９２】
【図１】本発明を好適に実施した第１の実施形態に係る通信システムの構成を示す図である。
【図２】第１の実施形態に係る通信システムのステーションの構成を示す図である。
【図３】移動体の進行方向先頭側に配置されたステーションの動作の流れを示す図である。
【図４】移動体の進行方向後尾側に配置されたステーションの動作の流れを示す図である。
【図５】（ａ）は、所定の経路上を移動体が進行する状態を示す図である。（ｂ）は、本発明に係る通信システムを備えた移動体の進行に伴ってステーションの帰属状態が変化する様子を示す図である。（ｃ）は、従来技術による通信システムを備えた移動体の進行によってステーションの帰属状態が変化する様子を示す図である。
【図６】移動体の進行方向先頭側に配置されたステーションの動作の流れを示す図である。
【図７】移動体の進行方向後尾側に配置されたステーションの動作の流れを示す図である。
【図８】（ａ）は、所定の経路上を移動体が進行する状態を示す図である。（ｂ）は、進行方向の先頭に配置されたステーションが後尾のステーションにＳｃａｎの経過を通知する場合の帰属状況の変化を示す図である。
【図９】進行方向先頭に配置されたステーションが後尾のステーションにＳｃａｎの経過を通知することを示す図である。
【図１０】指向性を有するアクセスポイントが形成するセルを移動体が通過する様子を示す図である。
【図１１】（ａ）は、指向性を有するアクセスポイントが形成するセルを移動体が通過する際のステーションの帰属状況の変化を示す図であり、本発明の通信システムのステーションの帰属状況の変化を示す。（ｂ）は、指向性を有するアクセスポイントが形成するセルを移動体が通過する際のステーションの帰属状況の変化を示す図であり、従来技術による通信システムのステーションの帰属状況の変化を示す。
【図１２】本発明を好適に実施した第２の実施形態に係る通信システムに適用されるステーションの構成を示す図である。
【図１３】（ａ）は、帰属履歴情報格納部に格納される情報の一例を示す図であり、帰属履歴情報を示す。（ｂ）は、帰属履歴情報格納部に格納される情報の一例を示す図であり、ＡＰ情報を示す。
【図１４】第２の実施形態に係る通信システムに適用されるステーションの構成を示す図である。
【図１５】ステーションが、自装置が進行方向の先頭に配置されているか否かを判断する処理の一例を示すフローチャートである。
【図１６】本発明を好適に実施した第３の実施形態に係る通信システムの構成を示す図である。
【図１７】第３の実施形態に係る通信システムに適用されるステーションの構成を示す図である。
【図１８】本発明を好適に実施した第４の実施形態に係る通信システムの構成を示す図である。
【図１９】第４の実施形態に係る通信システムがハンドオーバを行う状態を示す図である。
【図２０】本発明を好適に実施した第５の実施形態に係る通信システムの構成を示す図である。
【図２１】第５の実施形態に係る通信システムに適用されるステーションの構成を示す図である。
【符号の説明】
【０１９３】  １  ハンドスキャナハウジング
２  入力書面
３  １次元イメージセンサ
４  ワイドレンズ
５  照明ランプ
【図１】
2005002087.tif 000003
【図２】
2005002087.tif 000004
【図３】
2005002087.tif 000005
【図４】
2005002087.tif 000006
【図５】
2005002087.tif 000007
【図６】
2005002087.tif 000008
【図７】
2005002087.tif 000009
【図８】
2005002087.tif 000010
【図９】
2005002087.tif 000011
【図１０】
2005002087.tif 000012
【図１１】
2005002087.tif 000013
【図１２】
2005002087.tif 000014
【図１３】
2005002087.tif 000015
【図１４】
2005002087.tif 000016
【図１５】
2005002087.tif 000017
【図１６】
2005002087.tif 000018
【図１７】
2005002087.tif 000019
【図１８】
2005002087.tif 000020
【図１９】
2005002087.tif 000021
【図２０】
2005002087.tif 000022
【図２１】
2005002087.tif 000023
【国際調査報告】
2005002087.tif 000024
2005002087.tif 000025
2005002087.tif 000026
2005002087.tif 000027